(57)【要約】  本発明は、制御情報を伝送するための方法、基地局、及びユーザ機器を提供する。本方法は、基地局により、拡張物理下りリンク制御チャネル（ＥＰＤＣＣＨ）物理リソースセットを使用して、ユーザ機器（ＵＥ）に制御情報を送信するステップを有する。ここで、基地局は、制御情報が適用されるキャリアをＵＥがマッピング規則に従って決定できるように、制御情報を送信するための物理リソースをマッピング規則に従って決定する。ここで、制御情報を搬送するキャリアは、制御情報が適用されるキャリアと同一のキャリア又は異なるキャリアであり、かつマッピング規則は、キャリアと物理リソースとの対応を示す。上記の方法は、従来技術のＬＴＥシステムにおけるクロスキャリアスケジューリングをサポート可能なＥＰＤＣＣＨの設定の不足に起因した制御情報のオーバーヘッド増大及びリソース浪費の問題を解決する。
2015537455.tif 000002
【特許請求の範囲】
【請求項１】
制御情報を伝送するための方法であって、
基地局により、拡張物理下りリンク制御チャネルＥＰＤＣＣＨ物理リソースセットを使用して、ユーザ機器ＵＥに制御情報を送信するステップを有し、
前記基地局は、前記制御情報が適用されるキャリアを前記ユーザ機器がマッピング規則に従って決定できるように、前記制御情報を送信するための物理リソースを前記マッピング規則に従って決定し、
前記制御情報を搬送するキャリアは、前記制御情報が適用されるキャリアと同一のキャリア又は異なるキャリアであり、
前記マッピング規則は、キャリアと物理リソースとの対応を示す、方法。
【請求項２】
前記物理リソースが、前記ＥＰＤＣＣＨ物理リソースセットＥＰＤＣＣＨ−ＰＲＢ−ＳＥＴを含む、請求項１に記載の方法。
【請求項３】
前記マッピング規則が、
ＥＰＤＣＣＨ物理リソースセットを一つの単位として使用して、ＥＰＤＣＣＨ物理リソースセットとキャリアとの対応を確立する規則、又は、
ＥＰＤＣＣＨ物理リソースセット中の拡張制御チャネル要素ＥＣＣＥを一つの要素として使用して、ＥＣＣＥとキャリアとの対応を確立する規則、又は、
ＥＰＤＣＣＨ物理リソースセット中の物理リソースブロックＰＲＢ対を一つの要素として使用して、ＰＲＢ対とキャリアとの対応を確立する規則、又は、
ＥＰＤＣＣＨ物理リソースセット中の拡張リソース要素グループＥＲＥＧを一つの要素として使用して、ＥＲＥＧとキャリアとの対応を確立する規則、又は、
ＥＰＤＣＣＨ物理リソースセット中のアンテナポートＡＰを一つの要素として使用して、ＡＰとキャリアとの対応を確立する規則
を含む、請求項１又は２に記載の方法。
【請求項４】
前記マッピング規則が、前記基地局によって設定されて前記ユーザ機器に送信される規則であるか、又は、
前記マッピング規則が、予め規定されており、前記基地局と前記ユーザ機器との両方に知られた規則である、請求項１ないし３のいずれか一項に記載の方法。
【請求項５】
基地局により、ＥＰＤＣＣＨ物理リソースセットを使用して、ユーザ機器に制御情報を送信する前記ステップよりも前に、
前記基地局により、前記ＥＰＤＣＣＨ物理リソースセットを設定したときに前記マッピング規則を確立し、前記ユーザ機器に前記マッピング規則を送信するステップ、又は
前記基地局により、前記キャリアを設定したときに前記マッピング規則を確立し、前記ユーザ機器に前記マッピング規則を送信するステップ
をさらに有する、請求項１ないし３のいずれか一項に記載の方法。
【請求項６】
ＥＰＤＣＣＨ物理リソースセットを一つの単位として使用して、ＥＰＤＣＣＨ物理リソースセットとキャリアとの対応を確立する前記規則が、
複数のＥＰＤＣＣＨ物理リソースセットを整列させ、複数のキャリアを整列させ、整列された前記複数のＥＰＤＣＣＨ物理リソースセットと整列された前記複数のキャリアとの対応を確立することを含む、請求項３に記載の方法。
【請求項７】
前記複数のＥＰＤＣＣＨ物理リソースセットを整列させることが、前記複数のＥＰＤＣＣＨ物理リソースセットのＩＤに従って、前記複数のＥＰＤＣＣＨ物理リソースセットを整列させることであり、及び／又は
前記複数のキャリアを整列させることが、前記複数のキャリアのＩＤに従って、前記複数のキャリアを整列させることである、請求項６に記載の方法。
【請求項８】
ＥＰＤＣＣＨ物理リソースセット中のＥＣＣＥを一つの要素として使用して、ＥＣＣＥとキャリアとの対応を確立する前記規則が、
前記ＥＰＤＣＣＨ物理リソースセット中の複数のＥＣＣＥをグループ化し、複数のキャリアを整列させ、グループ化された前記複数のＥＣＣＥと整列された前記複数のキャリアとの対応を確立することを含む、請求項３に記載の方法。
【請求項９】
前記ＥＰＤＣＣＨ物理リソースセット中の複数のＥＣＣＥをグループ化し、複数のキャリアを整列させ、グループ化された前記複数のＥＣＣＥと整列された前記複数のキャリアとの対応を確立することが、
前記ＥＰＤＣＣＨ物理リソースセット中の前記複数のＥＣＣＥがグループ化されるときに、前記複数のキャリアの番号を前記複数のＥＣＣＥのインデックス値によって除算して剰余を取得し、同一の演算結果を有する複数のＥＣＣＥを一つのグループにグループ化し、
前記一つのグループと、前記複数のキャリアが整列された後に前記演算結果として同一のシーケンス番号を有するキャリアとの対応を確立することである、請求項８に記載の方法。
【請求項１０】
制御情報を伝送するための方法であって、
ユーザ機器ＵＥにより、拡張物理下りリンク制御チャネルＥＰＤＣＣＨ物理リソースセットを使用して基地局によって送信される制御情報を受信するステップと、
前記ユーザ機器により、前記制御情報が適用されるキャリアをマッピング規則に従って決定するステップと
を有し、
前記基地局は、前記制御情報を送信する前に、前記制御情報を送信するための物理リソースを前記マッピング規則に従って決定し、
前記制御情報を搬送するキャリアは、前記制御情報が適用されるキャリアと同一のキャリア又は異なるキャリアであり、
前記マッピング規則は、キャリアと物理リソースとの対応を示す、方法。
【請求項１１】
前記物理リソースが、前記ＥＰＤＣＣＨ物理リソースセットＥＰＤＣＣＨ−ＰＲＢ−ＳＥＴを含む、請求項１０に記載の方法。
【請求項１２】
前記マッピング規則が、
ＥＰＤＣＣＨ物理リソースセットを一つの単位として使用して、ＥＰＤＣＣＨ物理リソースセットとキャリアとの対応を確立する規則、又は、
ＥＰＤＣＣＨ物理リソースセット中の拡張制御チャネル要素ＥＣＣＥを一つの要素として使用して、ＥＣＣＥとキャリアとの対応を確立する規則、又は、
ＥＰＤＣＣＨ物理リソースセット中の物理リソースブロックＰＲＢ対を一つの要素として使用して、ＰＲＢ対とキャリアとの対応を確立する規則、又は、
ＥＰＤＣＣＨ物理リソースセット中の拡張リソース要素グループＥＲＥＧを一つの要素として使用して、ＥＲＥＧとキャリアとの対応を確立する規則、又は、
ＥＰＤＣＣＨ物理リソースセット中のアンテナポートＡＰを一つの要素として使用して、ＡＰとキャリアとの対応を確立する規則
を含む、請求項１０又は１１に記載の方法。
【請求項１３】
前記マッピング規則が、前記基地局によって設定されて送信され、前記ユーザ機器によって受信される規則であるか、又は、
前記マッピング規則が、予め規定されており、前記基地局と前記ユーザ機器との両方に知られた規則である、請求項１０ないし１２のいずれか一項に記載の方法。
【請求項１４】
ユーザ機器により、ＥＰＤＣＣＨ物理リソースセットを使用して基地局によって送信される制御情報を受信する前記ステップよりも前に、
前記ユーザ機器により、前記ＥＰＤＣＣＨ物理リソースセットが設定されたときに前記基地局によって確立され、前記基地局によって送信される前記マッピング規則を受信するステップ、又は
前記ユーザ機器により、前記キャリアが設定されたときに前記基地局によって確立され、前記基地局によって送信される前記マッピング規則を受信するステップ
をさらに有する、請求項１０ないし１２のいずれか一項に記載の方法。
【請求項１５】
拡張物理下りリンク制御チャネルＥＰＤＣＣＨ物理リソースセットを使用して、ユーザ機器ＵＥに制御情報を送信するように構成された送信ユニットを具備し、
前記制御情報が適用されるキャリアを前記ユーザ機器がマッピング規則に従って決定できるように、前記制御情報を送信するための物理リソースを前記マッピング規則に従って決定し、
前記制御情報を搬送するキャリアは、前記制御情報が適用されるキャリアと同一のキャリア又は異なるキャリアであり、
前記マッピング規則は、キャリアと物理リソースとの対応を示す、基地局。
【請求項１６】
前記マッピング規則が、基地局自身によって設定されて、前記送信ユニットを使用して前記ユーザ機器に送信される規則であるか、又は
前記マッピング規則が、予め規定されており、基地局自身と前記ユーザ機器との両方に知られた規則である、請求項１５に記載の基地局。
【請求項１７】
前記ＥＰＤＣＣＨ物理リソースセットが設定されたときに前記マッピング規則を確立するように構成されるか、又は
前記キャリアが設定されたときに前記マッピング規則を確立するように構成された
マッピング規則確立ユニットをさらに具備し、
前記送信ユニットが、前記マッピング規則確立ユニットによって確立された前記マッピング規則を前記ユーザ機器に送信するようにさらに構成される、請求項１５又は１６に記載の基地局。
【請求項１８】
拡張物理下りリンク制御チャネルＥＰＤＣＣＨ物理リソースセットを使用して基地局によって送信される制御情報を受信するように構成された受信ユニットと、
前記制御情報が適用されるキャリアをマッピング規則に従って決定するように構成された決定ユニットと
を具備し、
前記基地局は、前記制御情報を送信する前に、前記制御情報を送信するための物理リソースを前記マッピング規則に従って決定し、
前記制御情報を搬送するキャリアは、前記制御情報が適用されるキャリアと同一のキャリア又は異なるキャリアであり、
前記マッピング規則は、キャリアと物理リソースとの対応を示す、ユーザ機器。
【請求項１９】
前記マッピング規則が、前記基地局によって設定されて送信され、前記受信ユニットによって受信される規則であるか、又は
前記マッピング規則が、予め規定されており、前記基地局とユーザ機器自身との両方に知られた規則である、請求項１８に記載のユーザ機器。
【請求項２０】
前記受信ユニットが、
前記ＥＰＤＣＣＨ物理リソースセットが設定されたときに前記基地局によって確立され、前記基地局によって送信される前記マッピング規則を受信するか、又は
前記キャリアが設定されたときに前記基地局によって確立され、前記基地局によって送信される前記マッピング規則を受信する
ようにさらに構成される、請求項１８に記載のユーザ機器。
【発明の詳細な説明】
【技術分野】
【０００１】
この出願は、２０１２年１０月３１日に中国特許庁に出願された「METHOD FOR TRANSMITTING CONTROL INFORMATION, BASE STATION, AND USER EQUIPMENT」と題した中国特許出願第２０１２１０４２７８０５．５号の優先権を主張するものである。上記中国出願のすべての内容が本出願に援用される。
【０００２】
本発明の諸実施態様は、通信の分野に関し、詳細には、制御情報を伝送するための方法、基地局、及びユーザ機器に関する。
【背景技術】
【０００３】
セル固有の基準信号（例えば、コモンパイロット）に基づき、物理下りリンク制御チャネル（Physical Downlink Control Chanel，ＰＤＣＣＨ）の検索空間内で、ユーザ機器（User Equipment，ＵＥ）は、ＰＤＣＣＨのペイロードサイズ及びアグリゲーションレベル（４つのアグリゲーションレベル、すなわち、レベル１、２、４、及び８が存在する）に従ってＰＤＣＣＨを復調及び復号し、次いで、巡回冗長検査（Cyclic Redundancy Check，ＣＲＣ）を使用してＵＥのＰＤＣＣＨを検査及び決定するために、ＵＥに対応するＲＮＴＩ（Radio Network Temporary Identity）（換言すれば、スクランブルコードのタイプ又は識別子）を使用して逆クスランブルを実行し、ＰＤＣＣＨのスケジューリング情報に従って、ＵＥによってスケジュールされたサービスデータに対応する送信及び受信プロセスを実行する。
【０００４】
完全なＰＤＣＣＨは、１つ又は複数の制御チャネル要素（Control Channel Element，ＣＣＥ）を含み、１つのＣＣＥは、９つのリソース要素グループ（Resource Element Group，ＲＥＧ）を含み、１つのＲＥＧは、４つのリソース要素（Resource Element，ＲＥ）を占有する。ＬＴＥリリース８／９／１０規格によれば、１つのＰＤＣＣＨは、１つ、２つ、４つ、又は８つのＣＣＥを含み得る。
【０００５】
ＬＴＥリリース１０の後のＬＴＥシステムにおいては、ＭＩＭＯ（Multiple-Input Multiple-Output）及びＣｏＭＰ（Coordinated Multi-Point）などのマルチユーザ技術が使用され、開発シナリオは、同種ネットワークから異種ネットワークへと進化している。異種ネットワークにおいては、マイクロセルの信号へのマクロセルの干渉（マクロからマイクロへの干渉）は大きく、制御チャネル（ＰＤＣＣＨ）の信頼性及び容量を減少させることとなる。上記の問題を解決するために、ＭＩＭＯプリコーディング手法に基づいた伝送を実行する拡張物理下りリンク制御チャネル（Enhanced Physical Downlink Control Channel，Ｅ−ＰＤＣＣＨ）が、３ＧＰＰ ＬＴＥシステムに導入される。Ｅ−ＰＤＣＣＨは、ＵＥに固有の基準信号である復調基準信号（Demodulation Reference Signal，ＤＭＲＳ）に基づいて復調され得る。
【０００６】
ＥＰＤＣＣＨは、サブフレーム中の最初のｎ個のシンボルの制御領域を用いず、サブフレーム中の下りリンクデータを伝送するための領域を用いる。周波数リソースは、周波数分割によって物理下りリンク共有チャネル（Physical Downlink Shared Channel，ＰＤＳＣＨ）から分離され、ＥＰＤＣＣＨ及びＰＤＳＣＨは、異なるリソースブロック（Resource Block，ＲＢ）を占有し得る。ＬＴＥリリース１１において、ＥＰＤＣＣＨの基準信号は、リリース１０で規定された伝送モード９（Transmission Mode 9，ＴＭ９）におけるＰＤＳＣＨの基準信号（以下では、ＤＭＲＳと称される）の構造を再利用する。マルチキャリアアグリゲーションシナリオにおいて、ＬＴＥシステムは、クロスキャリアスケジューリングをサポートする。クロスキャリアスケジューリングと称される技術は、データ通信を実行するために基地局（ｅＮｏｄｅＢ、ｅＮＢ）及びＵＥをスケジュールするための制御情報が存在するキャリアが、データ通信のためのサービスデータが存在するキャリアと異なることを指す。クロスキャリアスケジューリングが発生するときに、キャリア指示子フィールド（Carrier Indicator Field，ＣＩＦ）は、制御情報中でキャリアを指示するために使用され、ここで、制御情報は、キャリアのサービスデータに作用する。
【０００７】
今までのところ、すべての標準的なプロセスにおけるクロスキャリアスケジューリングは、ＰＤＣＣＨ領域で発生しており、換言すれば、システムがクロスキャリアスケジューリングを使用する場合、既存のシステムは、ＰＤＣＣＨ領域だけを使用できた。特に、リリース１２の新たなキャリアタイプ（New Carrier Type，ＮＣＴ）では、システムは、可能な限りＥＰＤＣＣＨを使用し、この時、ＰＤＣＣＨ領域を設定しないようにする。この場合、システムがいくつかのＵＥに対してクロスキャリア機能を設定することを必要とするときに、ＰＤＣＣＨチャネルは、それらのＵＥに対して個々に設定される必要があり、これは、システムにおける制御情報のオーバーヘッドを増大させることとなり、リソースの浪費につながる。
【発明の概要】
【発明が解決しようとする課題】
【０００８】
このような観点から、本発明の諸実施態様は、従来技術のＬＴＥシステムにおけるクロスキャリアスケジューリングをサポート可能なＥＰＤＣＣＨの設定の不足に起因した制御情報のオーバーヘッド増大及びリソース浪費の問題を解決するために使用される、制御情報を伝送するための方法、基地局、及びユーザ機器を提供する。
【課題を解決するための手段】
【０００９】
第１態様によれば、本発明の一実施態様は、制御情報を伝送するための方法を提供し、本方法は、
基地局により、拡張物理下りリンク制御チャネルＥＰＤＣＣＨ物理リソースセットを使用して、ユーザ機器ＵＥに制御情報を送信するステップを有する。ここで、基地局は、制御情報が適用されるキャリアをＵＥがマッピング規則に従って決定できるように、制御情報を送信するための物理リソースをマッピング規則に従って決定する。
ここで、制御情報を搬送するキャリアは、制御情報が適用されるキャリアと同一のキャリア又は異なるキャリアであり、かつマッピング規則は、キャリアと物理リソースとの対応を示す。
【００１０】
第１態様の第１の実現可能な実施手法において、物理リソースは、ＥＰＤＣＣＨ物理リソースセットＥＰＤＣＣＨ−ＰＲＢ−ＳＥＴを含む。
【００１１】
第１態様及び上記の実現可能な実施手法を引用する、第２の実現可能な実施手法において、マッピング規則は、
ＥＰＤＣＣＨ物理リソースセットを一つの単位として使用して、ＥＰＤＣＣＨ物理リソースセットとキャリアとの対応を確立する規則、又は、
ＥＰＤＣＣＨ物理リソースセット中の拡張制御チャネル要素ＥＣＣＥを一つの要素として使用して、ＥＣＣＥとキャリアとの対応を確立する規則、又は、
ＥＰＤＣＣＨ物理リソースセット中の物理リソースブロックＰＲＢ対を一つの要素として使用して、ＰＲＢ対とキャリアとの対応を確立する規則、又は、
ＥＰＤＣＣＨ物理リソースセット中の拡張リソース要素グループＥＲＥＧを一つの要素として使用して、ＥＲＥＧとキャリアとの対応を確立する規則、又は、
ＥＰＤＣＣＨ物理リソースセット中のアンテナポートＡＰを一つの要素として使用して、ＡＰとキャリアとの対応を確立する規則を含む。
【００１２】
第１態様及び上記の実現可能な実施手法を引用する、第３の実現可能な実施手法において、マッピング規則は、基地局によって設定されてＵＥに送信される規則であるか、又は、
マッピング規則は、予め規定されており、基地局とＵＥとの両方に知られた規則である。
【００１３】
第１態様及び上記の実現可能な実施手法を引用する、第４の実現可能な実施手法において、基地局が制御情報を送信するための物理リソースをマッピング規則に従って決定するよりも前に、本方法は、
基地局により、ＥＰＤＣＣＨ物理リソースセットを設定したときにマッピング規則を確立し、ＵＥにマッピング規則を送信するステップ、又は
基地局により、キャリアを設定したときにマッピング規則を確立し、ＵＥにマッピング規則を送信するステップをさらに有する。
【００１４】
第１態様及び第２の実現可能な実施手法を引用する、第５の実現可能な実施手法において、ＥＰＤＣＣＨ物理リソースセットを一つの単位として使用して、ＥＰＤＣＣＨ物理リソースセットとキャリアとの対応を確立する規則は、
複数のＥＰＤＣＣＨ物理リソースセットを整列させ、複数のキャリアを整列させ、整列された複数のＥＰＤＣＣＨ物理リソースセットと整列された複数のキャリアとの対応を確立することを含む。
【００１５】
第１態様及び第５の実現可能な実施手法を引用する、第６の実現可能な実施手法において、複数のＥＰＤＣＣＨ物理リソースセットを整列させることは、特に、複数のＥＰＤＣＣＨ物理リソースセットのＩＤに従って、複数のＥＰＤＣＣＨ物理リソースセットを整列させることであり、及び／又は
複数のキャリアを整列させることは、特に、複数のキャリアのＩＤに従って、複数のキャリアを整列させることである。
【００１６】
第１態様及び第２の実現可能な実施手法を引用する、第７の実現可能な実施手法において、ＥＰＤＣＣＨ物理リソースセット中のＥＣＣＥを一つの要素として使用して、ＥＣＣＥとキャリアとの対応を確立する規則は、
ＥＰＤＣＣＨ物理リソースセット中の複数のＥＣＣＥをグループ化し、複数のキャリアを整列させ、グループ化された複数のＥＣＣＥと整列された複数のキャリアとの対応を確立することを含む。
【００１７】
第１態様及び第７の実現可能な実施手法を引用する、第８の実現可能な実施手法において、ＥＰＤＣＣＨ物理リソースセット中の複数のＥＣＣＥをグループ化し、複数のキャリアを整列させ、グループ化された複数のＥＣＣＥと整列された複数のキャリアとの対応を確立することは、特に、
ＥＰＤＣＣＨ物理リソースセット中の複数のＥＣＣＥがグループ化されるときに、複数のキャリアの番号を複数のＥＣＣＥのインデックス値によって除算して剰余を取得し、同一の演算結果を有する複数のＥＣＣＥを一つのグループにグループ化し、
グループと、複数のキャリアが整列された後に演算結果として同一のシーケンス番号を有するキャリアとの対応を確立することである。
【００１８】
第２態様によれば、本発明の一実施態様は、制御情報を伝送するための方法をさらに提供し、本方法は、
ＵＥにより、ＥＰＤＣＣＨ物理リソースセットを使用して基地局によって送信される制御情報を受信するステップであって、ここで、基地局は、制御情報を送信する前に、制御情報を送信するための物理リソースをマッピング規則に従って決定する、ステップと、
ＵＥにより、制御情報が適用されるキャリアをマッピング規則に従って決定するステップとを有する。
ここで、制御情報を搬送するキャリアは、制御情報が適用されるキャリアと同一のキャリア又は異なるキャリアであり、かつマッピング規則は、キャリアと物理リソースとの対応を示す。
【００１９】
第２態様を引用する、第１の実現可能な実施手法において、物理リソースは、ＥＰＤＣＣＨ物理リソースセットＥＰＤＣＣＨ−ＰＲＢ−ＳＥＴを含む。
【００２０】
第２態様及び上記の実現可能な実施手法を引用する、第２の実現可能な実施手法において、マッピング規則は、
ＥＰＤＣＣＨ物理リソースセットを一つの単位として使用して、ＥＰＤＣＣＨ物理リソースセットとキャリアとの対応を確立する規則、又は、
ＥＰＤＣＣＨ物理リソースセット中の拡張制御チャネル要素ＥＣＣＥを一つの要素として使用して、ＥＣＣＥとキャリアとの対応を確立する規則、又は、
ＥＰＤＣＣＨ物理リソースセット中の物理リソースブロックＰＲＢ対を一つの要素として使用して、ＰＲＢ対とキャリアとの対応を確立する規則、又は、
ＥＰＤＣＣＨ物理リソースセット中の拡張リソース要素グループＥＲＥＧを一つの要素として使用して、ＥＲＥＧとキャリアとの対応を確立する規則、又は、
ＥＰＤＣＣＨ物理リソースセット中のアンテナポートＡＰを一つの要素として使用して、ＡＰとキャリアとの対応を確立する規則を含む。
【００２１】
第２態様及び上記の実現可能な実施手法を引用する、第３の実現可能な実施手法において、マッピング規則は、基地局によって設定されて送信され、ＵＥによって受信される規則であるか、又は、
マッピング規則は、予め規定されており、基地局とＵＥとの両方に知られた規則である。
【００２２】
第２態様及び上記の実現可能な実施手法を引用する、第４の実現可能な実施手法において、ＵＥにより、物理リソースのうちのＥＰＤＣＣＨ物理リソースセットを使用して基地局によって送信される制御情報を受信するステップよりも前に、本方法は、
ＵＥにより、ＥＰＤＣＣＨ物理リソースセットが設定されたときに基地局によって確立され、基地局によって送信されるマッピング規則を受信するステップ、又は
ＵＥにより、キャリアが設定されたときに基地局によって確立され、基地局によって送信されるマッピング規則を受信するステップをさらに有する。
【００２３】
第３態様によれば、本発明の一実施態様は、基地局をさらに提供する。基地局は、
拡張物理下りリンク制御チャネルＥＰＤＣＣＨ物理リソースセットを使用して、ユーザ機器ＵＥに制御情報を送信するように構成された送信ユニットを具備する。ここで、基地局は、制御情報が適用されるキャリアをＵＥがマッピング規則に従って決定できるように、制御情報を送信するための物理リソースをマッピング規則に従って決定する。
ここで、制御情報を搬送するキャリアは、制御情報が適用されるキャリアと同一のキャリア又は異なるキャリアであり、かつマッピング規則は、キャリアと物理リソースとの対応を示す。
【００２４】
第３態様を引用する、第１の実現可能な実施手法において、マッピング規則は、基地局によって設定されて、送信ユニットを使用してＵＥに送信される規則であるか、又は
マッピング規則は、予め規定されており、基地局とＵＥとの両方に知られた規則である。
【００２５】
第３態様を引用する、第２の実現可能な実施手法において、基地局は、
ＥＰＤＣＣＨ物理リソースセットが設定されたときにマッピング規則を確立するように構成されるか、又は
キャリアが設定されたときにマッピング規則を確立するように構成されたマッピング規則確立ユニットをさらに具備する。ここで、それに対応して、送信ユニットは、マッピング規則確立ユニットによって確立されたマッピング規則をＵＥに送信するように構成される。
【００２６】
第４態様によれば、本発明の一実施態様は、ユーザ機器をさらに提供する。ユーザ機器は、
ＥＰＤＣＣＨ物理リソースセットを使用して基地局によって送信される制御情報を受信するように構成された受信ユニットであって、ここで、基地局は、制御情報を送信する前に、制御情報を送信するための物理リソースをマッピング規則に従って決定する、受信ユニットと、
制御情報が適用されるキャリアをマッピング規則に従って決定するように構成された決定ユニットとを具備する。
ここで、制御情報を搬送するキャリアは、制御情報が適用されるキャリアと同一のキャリア又は異なるキャリアであり、かつマッピング規則は、キャリアと物理リソースとの対応を示す。
【００２７】
第４態様を引用する、第１の実現可能な実施手法において、マッピング規則は、基地局によって設定されて送信され、受信ユニットによって受信される規則であるか、又は
マッピング規則は、予め規定されており、基地局とＵＥとの両方に知られた規則である。
【００２８】
第４態様を引用する、第２の実現可能な実施手法において、受信ユニットは、
ＥＰＤＣＣＨ物理リソースセットが設定されたときに基地局によって確立され、基地局によって送信されるマッピング規則を受信するか、又は
キャリアが設定されたときに基地局によって確立され、基地局によって送信されるマッピング規則を受信するようにさらに構成される。
【発明の効果】
【００２９】
本発明の諸実施態様における制御情報を伝送するための方法、基地局、及びユーザ機器によれば、基地局は、ＥＰＤＣＣＨ物理リソースセットを使用してＵＥに制御情報を送信し、かつ制御情報を送信する前に、基地局は、制御情報が適用されるキャリアをＵＥが物理リソースとキャリアとの対応についてのマッピング規則に従って決定できるように、制御情報を送信するための物理リソースをマッピング規則に従って決定し、ここで、制御情報を搬送するキャリアは、制御情報が適用されるキャリアと同一のキャリア又は異なるキャリアであり、それにより、従来技術のＬＴＥシステムにおけるクロスキャリアスケジューリングをサポート可能なＥＰＤＣＣＨの設定の不足に起因した制御情報のオーバーヘッド増大及びリソース浪費の問題を解決する、ということが上記の技術的解決策から明らかとなろう。
【００３０】
本発明の諸実施態様の技術的解決策をより明確に説明するために、諸実施態様を説明するために必要とされる添付の図面について以下に簡単に説明する。当然ながら、以下に記載する添付の図面は、本発明のいくつかの実施形態を示すものに過ぎず、当技術分野における通常の知識を有する者は、創造的な労力無しに、これらの添付の図面から他の図面を導き出すことができよう。
【図面の簡単な説明】
【００３１】
【図１】ＰＤＣＣＨ及びＥＰＤＣＣＨの位置分布の概略図である。
【図２】クロスキャリアスケジューリングの間にキャリアに作用するＰＤＣＣＨの概略図である。
【図３Ａ】本発明の一実施形態による、制御情報を伝送するための方法の概略的なフロー図である。
【図３Ｂ】本発明の一実施形態による、複数のＥＰＤＣＣＨ物理リソースセットと複数のキャリアとの対応を示す図である。
【図３Ｃ】本発明の一実施形態による、複数のＥＰＤＣＣＨ物理リソースセットと複数のキャリアとの対応を示す図である。
【図４Ａ】本発明の一実施形態による、複数のＥＰＤＣＣＨ物理リソースセットと複数のキャリアとの対応を示す図である。
【図４Ｂ】本発明の一実施形態による、複数のＥＰＤＣＣＨ物理リソースセットと複数のキャリアとの対応を示す図である。
【図４Ｃ】本発明の一実施形態による、複数のＥＰＤＣＣＨ物理リソースセットと複数のキャリアとの対応を示す図である。
【図５Ａ】本発明の別の実施形態による、制御情報を伝送するための方法の概略的なフロー図である。
【図５Ｂ】本発明の別の実施形態による、制御情報を伝送するための方法の概略的なフロー図である。
【図６】本発明の別の実施形態による、制御情報を伝送するための方法の概略的なフロー図である。
【図７】本発明の別の実施形態による基地局の概略的な構成図である。
【図８】本発明の一実施形態によるユーザ機器の概略的な構成図である。
【発明を実施するための形態】
【００３２】
以下では、本発明の目的、技術的解決策、及び利点を明確にするために、本発明の実施形態を示す添付の図面を参照して、本発明の技術的解決策について明瞭かつ十分に記載する。記載される実施形態は、本発明の実施形態の一部に過ぎない。本発明の以下の実施形態に基づき、当技術分野における通常の知識を有する者は、創造的労力無しに、いくつか又はすべての技術的特徴に等価な変更を加えることによって、本発明における技術的問題点を解決し、本発明の技術的効果を達成可能な他の実施形態を得ることができよう。そのような変更によって得られる実施形態は、本発明によって開示される範囲を逸脱するものではない。
【００３３】
３ＧＰＰ（3rd Generation Partnership Project）ＬＴＥ（Long Term Evolution）システム又は３ＧＰＰ ＬＴＥ−Ａ（LTE-Advance）システムでは、直交周波数分割多重アクセス（Orthogonal Frequency Division Multiple Access，ＯＦＤＭＡ）方式が下りリンク多重アクセス方式として使用され得る。
【００３４】
特に、時間の観点では、上記システムの下りリンクリソースは、直交周波数分割多重（Orthogonal Frequency Division Multiple，ＯＦＤＭ）シンボルに分割され、周波数の観点では、下りリンクリソースは、サブキャリアに分割される。一般に、ＯＦＤＭシンボルのサブキャリアは、リソース要素（ＲＥ）と称される。
【００３５】
さらに、ＬＴＥリリース８／９／１０によれば、下りリンクサブフレームは、２つのタイムスロットを有し、各タイムスロットは、７個又は６個のＯＦＤＭシンボル、換言すれば、合計で１４個又は１２個のＲＥを有する。通常の巡回プレフィックス（Cyclic Prefix，ＣＰ）長が使用される場合、各タイムスロットは、７個のＯＦＤＭシンボル、すなわち、合計で１４個のＲＥを含む。拡張されたＣＰ長が使用される場合、各タイムスロットは、６個のＯＦＤＭシンボルを含み、下りリンクサブフレームは、合計で１２個のＲＥを含む。
【００３６】
さらに、ＬＴＥリリース８／９／１０は、リソースブロック（ＲＢ）について規定している。ＲＢは、周波数領域において１２個のサブキャリアを含み、時間領域におけるタイムスロットであり、すなわち、７個又は６個のＯＦＤＭシンボルを含む。したがって、ＲＢは、８４個又は７２個のＲＥを含む。サブフレーム内の同一のサブキャリアにおいて、２つのタイムスロットのＲＢの組は、リソースブロック対（ＲＢ対）と称される。
【００３７】
サブフレームで搬送されるさまざまなタイプのデータは、サブフレームの物理的な時間−周波数リソースをさまざまな物理チャネルに分割することによってマッピングされる。一般に、さまざまな物理チャネルは、２つのタイプ、すなわち、制御チャネルと、サービスチャネルとに分類され得る。同様に、制御チャネルで搬送されるデータは、制御データと称され得（一般に、制御情報と称され得る）、サービスチャネルで搬送されるデータは、サービスデータと称され得る（一般に、データと称され得る）。サブフレームを送信する本来の目的は、サービスデータを伝送するためであり、制御チャネルの機能は、サービスデータを伝送することの補助である。
【００３８】
ＬＴＥリリース１０及びより先進的なＬＴＥシステムでは、ＰＤＣＣＨ及び物理下りリンク共有チャネル（ＰＤＳＣＨ）が時間分割によってサブフレームから分離される。ＰＤＣＣＨは、サブフレームのうちのｎ個の第１のＯＦＤＭシンボル内で搬送される。ここで、ｎは、１、２、３、及び４のうちのいずか１つである。周波数領域において、ＰＤＣＣＨ及びＰＤＳＣＨは、周波数ダイバーシティ利得を得るために、インターリービング処理がなされた後にシステム帯域幅全体へと分散され、ＰＤＣＣＨによってスケジュールされた下りリンクデータは、サブフレームの（ｎ＋１）番目のシンボルからマッピングが開始される。
【００３９】
セル固有の基準信号（例えば、コモンパイロット（Common Reference Signal，ＣＲＳ））に基づき、ＰＤＣＣＨの検索空間内で、ＵＥは、ＰＤＣＣＨのペイロードサイズ及びアグリゲーションレベル（４つのアグリゲーションレベル、すなわち、１、２、４、及び８が存在する）に従って、ＰＤＣＣＨを復調及び復号し、次いで、ＣＲＣを使用してＵＥのＰＤＣＣＨを検査及び決定できるように、ＵＥに固有のＲＮＴＩを使用して逆スクランブルを実行し、ＰＤＣＣＨのスケジュール情報に従って、ＰＤＣＣＨによってスケジュールされたデータに対応する送信及び受信プロセスを実行する。
【００４０】
完全なＰＤＣＣＨは、１つ以上のＣＣＥを含み、１つのＣＣＥは、９つのＲＥＧを含み、ＲＥＧは、４つのＲＥを占有する。ＬＴＥリリース８／９／１０によれば、１つのＰＤＣＣＨは、１つ、２つ、４つ、又は８つのＣＣＥを含み得る。
【００４１】
ＬＴＥリリース１０の後のＬＴＥシステムにおいては、ＭＩＭＯ及びＣｏＭＰなどのマルチユーザ技術の導入とともに、制御チャネルの容量が限定され、したがって、ＭＩＭＯプリコーディング方式に基づく伝送を実行するＥ−ＰＤＣＣＨが導入される。Ｅ−ＰＤＣＣＨは、ＵＥに固有の基準信号、すなわち、ＤＭＲＳに基づいて復調され得る。各ＥＰＤＣＣＨもまた、ＣＣＥと同様の論理ユニットであって、明細書中では拡張制御チャネル要素（Enhanced Control Channel Element，ＥＣＣＥ）と定義されるｋ個の論理ユニットにマッピングされてよく、ＵＥは、端末側でブラインド検出を実行する必要がある。以下のＰＤＣＣＨのアグリゲーションレベルの検出では、アグリゲーションレベルＬ（Ｌ＝１，２，４，８等）のＥＰＤＣＣＨは、Ｌ個のＥＣＣＥにマッピングされ得、換言すれば、Ｌ個のＥＣＣＥを含む。１つのＥＣＣＥは、１つ以上の拡張リソース要素グループ（ｅＲＥＧ）を含む。
【００４２】
図１に示されるように、図１は、ＰＤＣＣＨ及びＥＰＤＣＣＨの位置の概略図を示す。マルチキャリアアグリゲーションシナリオにおいては、ＬＴＥシステムは、クロスキャリアスケジューリングをサポートする。クロスキャリアスケジューリングと称される技術は、あるキャリアとのデータ通信を実行するためにｅＮｏｄｅＢ及びＵＥをスケジュールするための制御信号が割り当てられるキャリアが、データ通信が実行されるキャリアとは異なることを指す。クロスキャリアスケジューリングが発生する場合、図２に示されるように、制御情報が作用するキャリアを指定するために、制御情報中でＣＩＦが使用される。
【００４３】
しかしながら、今までのところ、すべての標準的なプロセスにおけるクロスキャリアスケジューリングは、図２に示すように、ＰＤＣＣＨ領域で発生する。クロスキャリアスケジューリングを実行するためにＥＰＤＣＣＨを使用することについては明らかではない。
【００４４】
換言すれば、従来技術では、クロスキャリアスケジューリングのためにＬＴＥシステムによって要求されるのはＰＤＣＣＨ構成だけであった。したがって、システムがクロスキャリアスケジューリングを使用する場合、既存のシステムは、ＰＤＣＣＨ領域だけしか使用できなかった。特に、リリース１２の新たなキャリアタイプ（ＮＣＴ）シナリオにおいては、システムは、利用可能であれば、ＥＰＤＣＣＨを使用し、このときは、ＰＤＣＣＨ領域を構成しないようにする。この場合、システムがいくつかのＵＥに対してクロスキャリア機能を設定することを必要とするときに、ＰＤＣＣＨチャネルは、それらのＵＥに個々に設定される必要がある。これは、システムの制御情報オーバーヘッドを増大させ、リソースの浪費につながる。
【００４５】
したがって、本発明の諸実施形態は、システムの制御チャネルのオーバーヘッドを減少させ、さらに、システムのリソースの浪費を減少させるために、システムにＥＰＤＣＣＨの柔軟な設定を実施するために使用される、制御情報を伝送するための方法を提供する。
【００４６】
＜第１実施形態＞
この実施形態は、制御情報を伝送するための方法を提供し、本方法は、特に、基地局により、ＥＰＤＣＣＨ物理リソースセットを使用して、ＵＥに制御情報を送信するステップを有する。ここで、基地局は、制御情報が適用されるキャリアをＵＥがマッピング規則に従って決定できるように、制御情報を送信するための物理リソースをマッピング規則に従って決定する。ここで、制御情報を搬送するキャリアは、制御情報が適用されるキャリアと同一のキャリア又は異なるキャリアであり、かつマッピング規則は、キャリアと物理リソースとの対応を示す。
【００４７】
ＥＰＤＣＣＨ物理リソースセットを使用して制御情報を送信するための準備を行うときに、上記の基地局は、制御情報を送信するための物理リソースをマッピング規則に従ってＥＰＤＣＣＨ物理リソースセットから決定し、次いで、制御情報が適用されるキャリアをＵＥがマッピング規則に従って決定できるように、制御情報をＵＥに送信する、ということが理解されよう。
【００４８】
例えば、上記の物理リソースは、拡張物理下りリンク制御チャネルリソースセット（ＥＰＤＣＣＨ−ＰＲＢ−ＳＥＴ）を含んでよい。実際の運用時には、拡張物理下りリンク制御チャネルリソースセットは、ＰＲＢ対、ＥＣＣＥ、ＥＲＥＧ、又はアンテナポート（ＡＰ）などのコンテンツを含んでよい。
【００４９】
さらに、上記のマッピング規則は、ＥＰＤＣＣＨ物理リソースセットを一つの単位として使用して、ＥＰＤＣＣＨ物理リソースセットとキャリアとの対応を確立する規則、又は、ＥＰＤＣＣＨ物理リソースセット中の拡張制御チャネル要素ＥＣＣＥを一つの要素として使用して、ＥＣＣＥとキャリアとの対応を確立する規則、又は、ＥＰＤＣＣＨ物理リソースセット中の物理リソースブロックＰＲＢ対を一つの要素として使用して、ＰＲＢ対とキャリアとの対応を確立する規則、又は、ＥＰＤＣＣＨ物理リソースセット中の拡張リソース要素グループＥＲＥＧを一つの要素として使用して、ＥＲＥＧとキャリアとの対応を確立する規則、又は、ＥＰＤＣＣＨ物理リソースセット中のアンテナポートＡＰを一つの要素として使用して、ＡＰとキャリアとの対応を確立する規則を含み得る。
【００５０】
マッピング規則において、キャリアと、（ＥＰＤＣＣＨ−ＰＲＢ−ＳＥＴ、ＰＲＢ対、ＥＣＣＥ、ＥＲＥＧ、又はＡＰなどの）物理リソースとの対応は、一対一の対応であってよく、又は、多対一若しくは一対多の対応であってもよく、このようなことは、この実施形態に限定されず、実際の要件に従って構成され得る、ということが理解されよう。
【００５１】
実現可能な実施形態のシナリオにおいて、上記のマッピング規則は、基地局によって設定されて、ＵＥに送信されてよい。あるいは、別の実現可能な実施形態のシナリオにおいては、上記のマッピング規則は、予め規定されており、基地局とＵＥとの両方に知られた規則であってもよい。例えば、上記のマッピング規則は、ＬＴＥ−Ａで規定された、基地局とＵＥとの両方に実装された規格であってよい。
【００５２】
この実施形態における制御情報を伝送するための方法によれば、基地局は、ＥＰＤＣＣＨ物理リソースセットを使用してＵＥに制御情報を送信し、かつ制御情報を送信する前に、基地局は、制御情報が適用されるキャリアをＵＥが物理リソースとキャリアとの対応についてのマッピング規則に従って決定できるように、制御情報を送信するための物理リソースをマッピング規則に従って決定し、ここで、制御情報を搬送するキャリアは、制御情報が適用されるキャリアと同一のキャリア又は異なるキャリアであり、それにより、従来技術のＬＴＥシステムにおけるクロスキャリアスケジューリングをサポート可能なＥＰＤＣＣＨの設定の不足に起因した制御情報のオーバーヘッド増大及びリソース浪費の問題を解決する、ということが上記の実施形態から明らかとなろう。
【００５３】
本発明の諸実施形態のうちのいずれか１つにおいて、マッピング規則は、ＥＰＤＣＣＨ物理リソースセットを一つの単位として使用して、ＥＰＤＣＣＨ物理リソースセットとキャリアとの対応を確立する規則、又は、ＥＰＤＣＣＨ物理リソースセット中のＥＣＣＥを一つの要素として使用して、ＥＣＣＥとキャリアとの対応を確立する規則、又は、ＥＰＤＣＣＨ物理リソースセット中の物理リソースブロックＰＲＢ対を一つの要素として使用して、ＰＲＢ対とキャリアとの対応を確立する規則、又は、ＥＰＤＣＣＨ物理リソースセット中の拡張リソース要素グループＥＲＥＧを一つの要素として使用して、ＥＲＥＧとキャリアとの対応を確立する規則、又は、ＥＰＤＣＣＨ物理リソースセット中のＡＰを一つの要素として使用して、ＡＰとキャリアとの対応を確立する規則を含み得ることに留意されたい。
【００５４】
実現可能な応用シナリオにおいて、マッピング規則は、複数のＥＰＤＣＣＨ物理リソースセットを整列させ（ソートし）、複数のキャリアを整列させ、整列された複数の物理リソースセットと整列された複数のキャリアとの対応を確立することであってよい。
【００５５】
以下の表１に記載した通りである。
【００５６】
【表１】
2015537455.tif 000003
【００５７】
例えば、複数のＥＰＤＣＣＨ物理リソースセットを整列させることは、ＥＰＤＣＣＨ物理リソースセットのＩＤに従って、複数のＥＰＤＣＣＨ物理リソースセットを整列させることであってよい。さらに、複数のキャリアを整列させることは、キャリアのＩＤに従って、複数のキャリアを整列させることであってよい。また、当然ながら、別の実施形態においては、整列は別の手法で実行されてもよい。この実施形態は、例示に過ぎず、整列手法を限定しない。
【００５８】
別の実現可能な実施形態のシナリオにおいて、マッピング規則は、複数のＥＣＣＥをＥＰＤＣＣＨ物理リソースセットにグループ化し、複数のキャリアを整列させ、グループ化された複数のＥＣＣＥと整列された複数のキャリアとの対応を確立することであってよい。
【００５９】
例えば、ＥＰＤＣＣＨ物理リソースセット中の複数のＥＣＣＥがグループ化されるときに、キャリアの番号がＥＣＣＥのインデックス値によって除算されて剰余が取得され、同一の演算結果を有する複数のＥＣＣＥが１つのグループにグループ化され、グループと、複数のキャリアが整列された後に演算結果として同一のシーケンス番号を有するキャリアとの間に対応が確立される。当然ながら、複数のキャリアを整列させる複数の手法が存在し得、また、複数のＥＣＣＥをＥＰＤＣＣＨ物理リソースセットにグループ化する複数の手法が存在し得る。この実施形態におけるマッピング規則は例示に過ぎない。
【００６０】
＜第２実施形態＞
図３Ａは、本発明の一実施形態による、制御情報を伝送するための方法を示す。図３Ａに示されるように、この実施形態における制御情報を伝送するための方法は、以下に記載されたようなものである。
【００６１】
ステップ３０１：基地局は、ＥＰＤＣＣＨ物理リソースセットを設定したときにマッピング規則を確立し、マッピング規則をＵＥに送信するか、又は、基地局は、キャリアを設定したときにマッピング規則を確立し、マッピング規則をＵＥに送信する。ここで、マッピング規則は、物理リソースとキャリアとの対応を示す。
【００６２】
ステップ３０２：基地局は、ＥＰＤＣＣＨ物理リソースセットを使用して、ＵＥに制御情報を送信する。ここで、基地局は、制御情報が適用されるキャリアをＵＥがマッピング規則に従って決定できるように、制御情報を送信するための物理リソースをマッピング規則に従って決定する。ここで、制御情報を搬送するキャリアは、制御情報が適用されるキャリアと同一のキャリア又は異なるキャリアである。
【００６３】
換言すれば、ＥＰＤＣＣＨ物理リソースセットを使用してＵＥに制御情報を送信する準備を行うときに、基地局は、制御情報を送信するための物理リソースを、マッピング規則に従ってＥＰＤＣＣＨ物理リソースセットから決定し、次いで、制御情報を送信する。
【００６４】
クロスキャリアスケジューリングとは、制御情報を搬送するキャリアと制御情報が適用されるキャリアとが同一のキャリアであったり、なかったりすることを指す、ということに留意されたい。上記の制御情報が適用されるキャリアは、制御情報に対応するサービスデータが配置されるキャリアであってよい。例えば、キャリアＢに適用される制御情報は、キャリアＡ上でＵＥに送信される。当然ながら、クロスキャリアスケジューリングは、サービスデータのスケジューリングを含んでよく、また、制御情報、例えば、電力制御情報のスケジューリングを含んでもよい。
【００６５】
この実施形態における制御情報を伝送するための方法によれば、ＵＥに制御情報を送信するときに、基地局は、制御情報を送信するための物理リソースをマッピング規則に従って決定し、それにより、従来技術のＬＴＥシステムにおけるクロスキャリアスケジューリングをサポート可能なＥＰＤＣＣＨの設定の不足に起因した制御情報のオーバーヘッド増大及びリソース浪費の問題を解決する。
【００６６】
図３Ｂに示されるように、図３Ｂは、複数のＥＰＤＣＣＨ物理リソースセットと複数のキャリアとの対応の図を示す。図３Ｂにおいて、複数のＥＰＤＣＣＨ物理リソースセットは、どの周波数領域でも重複せず、この場合、ＥＰＤＣＣＨ物理リソースセットｎ＋１は、キャリアＭにスケジュールされ得、一方、ＥＰＤＣＣＨ物理リソースセットｎは、キャリアＭ＋２にスケジュールされ得る。
【００６７】
換言すれば、ＥＰＤＣＣＨ物理リソースセットを設定するときに、基地局は、ＥＰＤＣＣＨ物理リソースセットｎ＋１とキャリアＭとの対応、又はＥＰＤＣＣＨ物理リソースセットｎとキャリアＭ＋２との対応などのマッピング規則を確立し得る。
【００６８】
別の実施形態では、基地局は、ＵＥに対してＥＰＤＣＣＨ物理リソースセットＸを設定し、このとき、ＥＰＤＣＣＨ物理リソースセットＸがキャリアＡに関連付けられるように基地局が指示すると仮定すると、ＥＰＤＣＣＨ物理リソースセットＸを設定するときに、基地局は、ＥＰＤＣＣＨ物理リソースセットＸの設定情報中にマッピング規則を含み、同様に、基地局は、ＵＥに対してＥＰＤＣＣＨ物理リソースセットＹを設定し、このとき、ＥＰＤＣＣＨ物理リソースセットＹがキャリアＢに関連付けられるように基地局が指示すると仮定すると、ＥＰＤＣＣＨ物理リソースセットＹを設定するときに、基地局は、ＥＰＤＣＣＨ物理リソースセットＹの設定情報中にマッピング規則を含む。マッピング規則において、複数のＥＰＤＣＣＨ物理リソースセットと複数のキャリアとは、上記の例における、ＥＰＤＣＣＨ物理リソースセットＸとキャリアＡとの対応、又はＥＰＤＣＣＨ物理リソースセットＹとキャリアＢとの対応など、一対一の対応関係を有する、ということが理解されよう。先の記載に基づき、ＵＥは、ＥＰＤＣＣＨ物理リソースセットＸ中のキャリアＡに属する制御情報を検出し得、かつＵＥは、ＥＰＤＣＣＨ物理リソースセットＹ中のキャリアＢに属する制御情報を検出し得、それにより、従来技術のＬＴＥシステムにおけるクロスキャリアスケジューリングをサポート可能なＥＰＤＣＣＨの設定の不足に起因した制御情報のオーバーヘッド増大及びリソース浪費の問題を解決する。
【００６９】
別の例では、基地局は、ＵＥに対してＥＰＤＣＣＨ物理リソースセットＸを設定し、このとき、ＥＰＤＣＣＨ物理リソースセットＸがキャリアＡ及びキャリアＣに関連付けられるように基地局が指示すると仮定すると、ＥＰＤＣＣＨ物理リソースセットＸを設定するときに、基地局は、ＥＰＤＣＣＨ物理リソースセットＸの設定情報中にマッピング規則を含み、同様に、基地局は、ＵＥに対してＥＰＤＣＣＨ物理リソースセットＹを設定し、このとき、ＥＰＤＣＣＨ物理リソースセットＹがキャリアＢに関連付けられるように基地局が指示すると仮定すると、ＥＰＤＣＣＨ物理リソースセットＹを設定するときに、基地局は、ＥＰＤＣＣＨ物理リソースセットＹの設定情報中にマッピング規則を含む。マッピング規則において、複数のＥＰＤＣＣＨ物理リソースセットと複数のキャリアとは、一対多の対応関係、例えば、上記の例における、ＥＰＤＣＣＨ物理リソースセットＸとキャリアＡ及びキャリアＣとの対応関係を有する、ということが理解されよう。
【００７０】
先の記載に基づき、ＵＥは、ＥＰＤＣＣＨ物理リソースセットＸ中のキャリアＡ及びキャリアＣに属する制御情報を検出し得、かつＵＥは、ＥＰＤＣＣＨ物理リソースセットＹ中のキャリアＢに属する制御情報を検出し得、それにより、従来技術のＬＴＥシステムにおけるクロスキャリアスケジューリングをサポート可能なＥＰＤＣＣＨの設定の不足に起因した制御情報のオーバーヘッド増大及びリソース浪費の問題を解決する。
【００７１】
別の例では、基地局は、ＵＥに対してＥＰＤＣＣＨ物理リソースセットＸを設定し、このとき、ＥＰＤＣＣＨ物理リソースセットＸがキャリアＡに関連付けられるように基地局が指示すると仮定すると、ＥＰＤＣＣＨ物理リソースセットＸを設定するときに、基地局は、ＥＰＤＣＣＨ物理リソースセットＸの設定情報中にマッピング規則を含み、同様に、基地局は、ＵＥに対してＥＰＤＣＣＨ物理リソースセットＹを設定し、このとき、ＥＰＤＣＣＨ物理リソースセットＹがキャリアＢに関連付けられるように基地局が指示すると仮定すると、ＥＰＤＣＣＨ物理リソースセットＹを設定するときに、基地局は、ＥＰＤＣＣＨ物理リソースセットＹの設定情報中にマッピング規則を含み、同様に、基地局は、ＵＥに対してＥＰＤＣＣＨ物理リソースセットＺを設定し、このとき、ＥＰＤＣＣＨ物理リソースセットＺがキャリアＡに関連付けられるように基地局が指示すると仮定すると、ＥＰＤＣＣＨ物理リソースセットＺを設定するときに、基地局は、ＥＰＤＣＣＨ物理リソースセットＺの設定情報中にマッピング規則を含む。マッピング規則において、ＥＰＤＣＣＨ物理リソースセットとキャリアとは、多対一の対応関係、例えば、上記の例における、ＥＰＤＣＣＨ物理リソースセットＸ及びＥＰＤＣＣＨ物理リソースセットＺと、キャリアＡとの対応関係を有する、ということが理解されよう。
【００７２】
先の記載に基づき、ＵＥは、ＥＰＤＣＣＨ物理リソースセットＸ中のキャリアＡに属する制御情報を検出し得、ＵＥは、ＥＰＤＣＣＨ物理リソースセットＹ中のキャリアＢに属する制御情報を検出し得、かつＵＥは、ＥＰＤＣＣＨ物理リソースセットＺ中のキャリアＡに属する制御情報を検出し得、それにより、従来技術のＬＴＥシステムにおけるクロスキャリアスケジューリングをサポート可能なＥＰＤＣＣＨの設定の不足に起因した制御情報のオーバーヘッド増大及びリソース浪費の問題を解決する。
【００７３】
別の例示的な実施形態では、基地局がＵＥに対して複数のキャリアについての情報を設定するとき、設定された複数のキャリアは、スケジューリングに使用可能な複数のＥＰＤＣＣＨ物理リソースセットに対応するように構成され得る。
【００７４】
同様に、図３Ｂを参照すると、基地局によって設定された複数のキャリアは、キャリアＭ、キャリアＭ＋２、及びキャリアＭ＋１を含み得る。複数のキャリアについての情報を設定するとき、基地局は、ＵＥに対してキャリアＭ及びキャリアＭ＋２を設定し、ＵＥに対して対応するＥＰＤＣＣＨ物理リソースセットｎ＋１及びＥＰＤＣＣＨ物理リソースセットｎを設定する。
【００７５】
キャリアＭがＥＰＤＣＣＨ物理リソースセットｎ＋１にスケジュールされ、かつキャリアＭ＋２がＥＰＤＣＣＨ物理リソースセットｎにスケジュールされるように基地局が指示すると仮定すると、キャリアＭを設定するときに、基地局は、サブマッピング規則、例えば、キャリアＭの設定情報中の、キャリアＭとＥＰＤＣＣＨ物理リソースセットｎ＋１との対応関係を含み、かつキャリアＭ＋２を設定するときに、基地局は、別のサブマッピング規則、例えば、キャリアＭ＋２の設定情報中の、キャリアＭ＋２とＥＰＤＣＣＨ物理リソースセットｎとの対応関係を含む。上記の複数のサブマッピング規則は、１つのマッピング規則を形成してよく、又は、複数のサブマッピング規則は、個々のサブマッピング規則として使用されてもよい。この実施形態におけるサブマッピング規則は、一対一のサブマッピング規則であることに留意されたい。
【００７６】
さらに、ＵＥは、ＥＰＤＣＣＨ物理リソースセットｎ＋１中のキャリアＭに属する制御情報を検出し得、かつＵＥは、ＥＰＤＣＣＨ物理リソースセットｎ中のキャリアＭ＋２に属する制御情報を検出し得る。
【００７７】
別の実施形態において、キャリアＭ及びキャリアＭ＋１がＥＰＤＣＣＨ物理リソースセットｎ＋１にスケジュールされ、かつキャリアＭ＋２がＥＰＤＣＣＨ物理リソースセットｎにスケジュールされるように基地局が指示すると仮定すると、キャリアＭを設定するときに、基地局は、サブマッピング規則、例えば、キャリアＭの設定情報中の、キャリアＭとＥＰＤＣＣＨ物理リソースセットｎ＋１との対応関係を含み、かつ、キャリアＭ＋１を設定するときに、基地局は、サブマッピング規則、例えば、キャリアＭ＋１の設定情報中の、キャリアＭ＋１とＥＰＤＣＣＨ物理リソースセットｎ＋１との対応関係を含み、かつ、キャリアＭ＋２を設定するときに、基地局は、別のサブマッピング規則、例えば、キャリアＭ＋２の設定情報中の、キャリアＭ＋２とＥＰＤＣＣＨ物理リソースセットｎとの対応関係を含む。上記の複数のサブマッピング規則は、１つのマッピング規則を形成してよく、又は、複数のサブマッピング規則は、個々のサブマッピング規則として使用されてもよい。この実施形態におけるマッピング規則は、複数のキャリアと１つのＥＰＤＣＣＨ物理リソースセットとの間の多対一のサブマッピング規則、例えば、上記の、キャリアＭ及びキャリアＭ＋１と、ＥＰＤＣＣＨ物理リソースセットｎとの対応についてのマッピング規則であることに留意されたい。
【００７８】
さらに、ＵＥは、ＥＰＤＣＣＨ物理リソースセットｎ＋１中のキャリアＭ及びキャリアＭ＋１に属する制御情報を検出し得、かつＵＥは、ＥＰＤＣＣＨ物理リソースセットｎ中のキャリアＭ＋２に属する制御情報を検出し得る。
【００７９】
別の実施形態において、キャリアＭがＥＰＤＣＣＨ物理リソースセットｎ＋１にスケジュールされ、キャリアＭ＋２がＥＰＤＣＣＨ物理リソースセットｎにスケジュールされ、かつキャリアＭがＥＰＤＣＣＨ物理リソースセットｎ＋２にスケジュールされるように基地局が指示すると仮定すると、キャリアＭを設定するときに、基地局は、サブマッピング規則、例えば、キャリアＭの設定情報中の、キャリアＭと、ＥＰＤＣＣＨ物理リソースセットｎ＋１及びＥＰＤＣＣＨ物理リソースセットｎ＋２との対応関係を含み、かつキャリアＭ＋２を設定するときに、基地局は、別のサブマッピング規則、例えば、キャリアＭ＋２の設定情報中の、キャリアＭ＋２とＥＰＤＣＣＨ物理リソースセットｎとの対応関係を含む。上記の複数のサブマッピング規則は、１つのマッピング規則を形成してよく、又は、複数のサブマッピング規則は、個々のサブマッピング規則として使用されてもよい。この実施形態におけるマッピング規則は、１つのキャリアと複数のＥＰＤＣＣＨ物理リソースセットとの間の一対多のサブマッピング規則、例えば、上記の、キャリアＭと、ＥＰＤＣＣＨ物理リソースセットｎ＋１及びＥＰＤＣＣＨ物理リソースセットｎ＋２との対応についての規則であることに留意されたい。
【００８０】
さらに、ＵＥは、ＥＰＤＣＣＨ物理リソースセットｎ＋１中のキャリアＭに属する制御情報を検出し得、ＵＥは、ＥＰＤＣＣＨ物理リソースセットｎ中のキャリアＭ＋２に属する制御情報を検出し得、かつＵＥは、ＥＰＤＣＣＨ物理リソースセットｎ＋２中のキャリアＭに属する制御情報を検出し得る。
【００８１】
第２の例示的な実施形態において、基地局がＵＥに対して複数のキャリアについての情報を設定するときに、基地局によって設定された複数のキャリアは、キャリアＡ、キャリアＢ、及びキャリアＣを含み得、同様に、ＵＥに対してキャリアＡ及びキャリアＢを設定するときに、基地局は、ＵＥに対して、対応するＥＰＤＣＣＨ物理リソースセットＸ及びＥＰＤＣＣＨ物理リソースセットＹを設定し得る。
【００８２】
基地局は、ある規格、例えば、キャリアシーケンス番号に従って、キャリアＡ及びキャリアＢを整列させ得、一方、基地局は、ある規格、例えば、複数のＥＰＤＣＣＨ物理リソースセットの第１のＰＲＢ対のシーケンス番号に従って、ＵＥに対して設定されたＥＰＤＣＣＨ物理リソースセットＸ及びＥＰＤＣＣＨ物理リソースセットＹを整列させ得る。整列された複数のキャリアは、整列された複数のＥＰＤＣＣＨ物理リソースセットにマッピングされる。
【００８３】
例えば、複数のキャリアの順序が｛Ａ，Ｂ｝であり、かつ複数のＥＰＤＣＣＨ物理リソースセットの順序が｛Ｘ，Ｙ｝であり、そして、｛Ａ，Ｘ｝の対応関係があり、かつ｛Ｂ，Ｙ｝の対応関係があるとする。この場合、ＵＥは、ＥＰＤＣＣＨ物理リソースセットＸ中のキャリアＡに属する制御情報を検出し得、かつＵＥは、ＥＰＤＣＣＨ物理リソースセットＹ中のキャリアＢに属する制御情報を検出し得る。上記のマッピング規則は、予め設定されたマッピング規則であり、かつ複数のキャリアと複数のＥＰＤＣＣＨ物理リソースセットとは、一対一の対応関係を有する。
【００８４】
別の例では、基地局は、キャリアＡ、キャリアＢ、及びキャリアＣを有し、基地局は、ＵＥに対して、キャリアＡ及びキャリアＢを設定し、かつ基地局は、ＵＥに対して、ＥＰＤＣＣＨ物理リソースセットＸ、ＥＰＤＣＣＨ物理リソースセットＹ、及びＥＰＤＣＣＨ物理リソースセットＺを設定する。この場合、基地局は、ある規格、例えば、キャリアシーケンス番号に従って、キャリアＡ及びキャリアＢを整列させ得、一方、基地局は、ある規格、例えば、複数のＥＰＤＣＣＨ物理リソースセットの第１のＰＲＢ対のシーケンス番号に従って、ＵＥに対して設定されたＥＰＤＣＣＨ物理リソースセットＸ、ＥＰＤＣＣＨ物理リソースセットＹ、及びＥＰＤＣＣＨ物理リソースセットＺを整列させ得る。整列された複数のキャリアは、整列された複数のＥＰＤＣＣＨ物理リソースセットにマッピングされる。例えば、複数のキャリアの順序が｛Ａ，Ｂ｝であり、かつ複数のＥＰＤＣＣＨ物理リソースセットの順序が｛Ｘ，Ｙ，Ｚ｝であり、そして、｛Ａ，Ｘ，Ｚ｝の対応関係があり、かつ｛Ｂ，Ｙ｝の対応関係があるとする。この場合、ＵＥは、ＥＰＤＣＣＨ物理リソースセットＸ中のキャリアＡに属する制御情報を検出し得、ＵＥは、ＥＰＤＣＣＨ物理リソースセットＹ中のキャリアＢに属する制御情報を検出し得、かつＵＥは、ＥＰＤＣＣＨ物理リソースセットＺ中のキャリアＡに属する制御情報を検出し得る。例を用いて説明された上記の予め設定されたマッピング規則において、複数のキャリアと複数のＥＰＤＣＣＨ物理リソースセットとは、一対多の対応関係を有する。
【００８５】
別の例では、基地局は、キャリアＡ、キャリアＢ、キャリアＣ、及びキャリアＤを有し、基地局は、ＵＥに対して、キャリアＡ、キャリアＢ、及びキャリアＣを設定し、かつ基地局は、ＵＥに対して、ＥＰＤＣＣＨ物理リソースセットＸ及びＥＰＤＣＣＨ物理リソースセットＹを設定する。この場合、基地局は、ある規格、例えば、キャリアシーケンス番号に従って、キャリアＡ、キャリアＢ、及びキャリアＣを整列させ得、一方、基地局は、ある規格、例えば、複数のＥＰＤＣＣＨ物理リソースセットの第１のＰＲＢ対のシーケンス番号に従って、ＵＥに対して設定されたＥＰＤＣＣＨ物理リソースセットＸ及びＥＰＤＣＣＨ物理リソースセットＹを整列させ得る。整列された複数のキャリアは、整列された複数のＥＰＤＣＣＨ物理リソースセットにマッピングされる。例えば、複数のキャリアの順序が｛Ａ，Ｂ，Ｃ｝であり、かつ複数のＥＰＤＣＣＨ物理リソースセットの順序が｛Ｘ，Ｙ｝であり、そして、｛Ａ，Ｘ｝の対応関係があり、｛Ｂ，Ｙ｝の対応関係があり、かつ｛Ｃ，Ｘ｝の対応関係があるとする。この場合、ＵＥは、ＥＰＤＣＣＨ物理リソースセットＸ中のキャリアＡに属する制御情報およびキャリアＣに属する制御情報を検出し得、かつＵＥは、ＥＰＤＣＣＨ物理リソースセットＹ中のキャリアＢに属する制御情報を検出し得る。例を用いて説明された上記の予め設定されたマッピング規則において、複数のキャリアと複数のＥＰＤＣＣＨ物理リソースセットとは、多対一の対応関係を有する。
【００８６】
図３Ｃに示されるように、図３Ｃは、複数のＥＰＤＣＣＨ物理リソースセットと複数のキャリアとの対応を示す。図３Ｃにおいて、（キャリアＭ及びキャリアＭ＋２などの）異なる複数のキャリアをスケジューリングする複数のＥＰＤＣＣＨ物理リソースセットは、周波数領域において重複してよい。この場合、ＥＰＤＣＣＨ物理リソースセットｎは、キャリアＭをスケジューリングしてよく、キャリアＭ＋２をスケジューリングしてもよい。
【００８７】
例えば、基地局は、キャリアＭ、キャリアＭ＋１、及びキャリアＭ＋２を有し、基地局は、ＵＥに対して、キャリアＭ及びキャリアＭ＋２を設定し、かつ基地局は、ＵＥに対して、ＥＰＤＣＣＨ物理リソースセットｎを設定する。ＥＰＤＣＣＨ物理リソースセットは、複数の論理ＥＣＣＥを含む。論理的に重複しない複数のＥＣＣＥリソースをキャリアＭ及びキャリアＭ＋２に割り当てることによって、複数のリソースの直交性が実現される。
【００８８】
複数のＥＣＣＥの一部分がキャリアＭに割り当てられ、かつ複数のＥＣＣＥの一部分がキャリアＭ＋２に割り当てられ、ここで、複数のＥＣＣＥの一部分は、論理的に連続又は不連続であってよい。例えば、第１部分と第２部分とが連続してよい。奇数又は偶数のシーケンス番号を有する複数のＥＣＣＥが不連続であり、又はアグリゲーションレベル（Aggregation Level，ＡＬ）に関する連続する複数のＥＣＣＥを割り当て単位（granularity）として使用して、離散化が実行される。複数のＥＣＣＥは、局地的な又は分散配置されたＥＣＣＥであってもよい。分散配置されたＥＣＣＥの場合、ＥＲＥＧに従って、グループ化が実行されてよい。
【００８９】
＜第３実施形態＞
この実施形態は、特に、基地局により、制御情報が適用されるキャリアをＵＥが指示情報の少なくとも一部分に従って決定できるように、拡張物理下りリンク制御チャネルＥＰＤＣＣＨ物理リソースセットを使用し、指示情報の少なくとも一部分と組み合わせて、制御情報をＵＥに送信するステップを有する、制御情報を伝送するための方法を提供する。ここで、制御情報を搬送するキャリアは、制御情報が適用されるキャリアと同一のキャリア又は異なるキャリアであってよい。
【００９０】
例えば、指示情報は、ＣＩＦ又は制御情報が適用されるキャリアを指示可能な他のフィールドなどのキャリア指示子フィールドであってよい。実際の運用時には、指示情報は、制御情報が適用される少なくとも１つのキャリアの識別子を含んでもよい。キャリアの識別子は、キャリアのシーケンス番号又はキャリアを識別可能な他の識別子であってよく、キャリアの識別子は、この実施形態に限定されない。
【００９１】
したがって、この実施形態における制御情報を伝送するための方法によれば、クロスキャリアスケジューリングがＥＰＤＣＣＨを使用して実現でき、それにより、従来技術における、制御情報のオーバーヘッド増大及びリソース浪費の問題を解決する。
【００９２】
図４Ａに示されるように、ＵＥに対してＥＰＤＣＣＨ物理リソースセットを設定するときに、基地局は、設定した物理リソースセットに対して、クロスキャリアスケジューリングフィールドを追加する必要がある。ここで、クロスキャリアスケジューリングフィールドは、ＥＰＤＣＣＨ物理リソースセットによってクロスキャリアスケジューリングがサポート可能なキャリアのＩＤを指示するために使用される。キャリアに対応する複数のＥＰＤＣＣＨ物理リソースセットは同一ものであることに特に留意されたい。
【００９３】
例えば、システムは、キャリアＭ、キャリアＭ＋１、及びキャリアＭ＋２を有し、かつ基地局は、ＵＥに対して、ＥＰＤＣＣＨ物理リソースセットｎを設定する。このとき、基地局は、ＥＰＤＣＣＨ物理リソースセットｎがキャリアＭ及びキャリアＭ＋２に関連付けられるように指示する。この場合、ＵＥは、ＥＰＤＣＣＨ物理リソースセット中のキャリアＭに属する制御情報及びキャリアＭ＋２に属する制御情報を検出し得る。
【００９４】
別の例では、基地局は、キャリアＡ、キャリアＢ、及びキャリアＣを有し、かつ基地局は、ＵＥに対して、ＥＰＤＣＣＨ物理リソースセットＸ及びＥＰＤＣＣＨ物理リソースセットＹを設定する。このとき、基地局は、ＥＰＤＣＣＨ物理リソースセットＸがキャリアＡ及びキャリアＢに関連付けられ、かつＥＰＤＣＣＨ物理リソースセットＹがキャリアＡ及びキャリアＢに関連付けられるように指示する。この場合、ＵＥは、ＥＰＤＣＣＨ物理リソースセットＸ中のキャリアＡに属する制御情報及びキャリアＢに属する制御情報を検出し得、かつＵＥは、ＥＰＤＣＣＨ物理リソースセットＹ中のキャリアＡに属する制御情報及びキャリアＢに属する制御情報もまた検出できる。
【００９５】
図４Ｂに示されるように、ＵＥに対してＥＰＤＣＣＨ物理リソースセットを設定するときに、基地局は、ＥＰＤＣＣＨ物理リソースセットによってクロスキャリアスケジューリングがサポート可能なキャリアのＩＤを指示するために、設定したＥＰＤＣＣＨ物理リソースセットに対して、クロスキャリアスケジューリングフィールドを追加する必要がある。キャリアに対応する複数の複数のＥＰＤＣＣＨ物理リソースセットは異なるものであることに特に留意されたい。
【００９６】
例えば、基地局は、キャリアＭ、キャリアＭ＋１、及びキャリアＭ＋２を有し、かつ基地局は、ＵＥに対して、ＥＰＤＣＣＨ物理リソースセットｎを設定し、このとき、基地局は、ＥＰＤＣＣＨ物理リソースセットｎがキャリアＭに関連付けられるように指示する。一方、基地局は、ＵＥに対して、ＥＰＤＣＣＨ物理リソースセットｎ＋１を設定し、このとき、基地局は、ＥＰＤＣＣＨ物理リソースセットｎ＋１がキャリアＭ＋２に関連付けられるように指示する。この場合、ＵＥは、ＥＰＤＣＣＨ物理リソースセットｎ中のキャリアＭに属する制御情報を検出し得、かつＵＥは、ＥＰＤＣＣＨ物理リソースセットｎ＋１中のキャリアＭ＋２に属する制御情報及びキャリアＢに属する制御情報を検出し得る。しかしながら、ＥＰＤＣＣＨ物理リソースセットｎとＥＰＤＣＣＨ物理リソースセットｎ＋１とが空間的に重複する（部分的に重複する）ので、検出される制御信号は、ＥＰＤＣＣＨ物理リソースセットｎとＥＰＤＣＣＨ物理リソースセットｎ＋１とが重複する部分に現れる可能性がある。現在検出されている制御情報がキャリアＭ又はキャリアＭ＋２のどちらに属するものであるかを識別するために、指示情報、例えば、ＣＩＦが識別に使用される必要がある。
【００９７】
図４Ｃに示されるように、ＵＥに対してＥＰＤＣＣＨ物理リソースセットを設定するときに、基地局は、ＥＰＤＣＣＨ物理リソースセットによってクロスキャリアスケジューリングがサポート可能なキャリアのＩＤを指示するために、設定したＥＰＤＣＣＨ物理リソースセットに対して、クロスキャリアスケジューリングフィールドを追加する必要がある。図４Ｃのキャリアに対応する複数の複数のＥＰＤＣＣＨ物理リソースセットは異なるものであり、かつ複数のＥＰＤＣＣＨ物理リソースセットは、いずれも重複しない、ということに特に留意されたい。
【００９８】
例えば、基地局は、キャリアＭ、キャリアＭ＋１、及びキャリアＭ＋２を有し、かつ基地局は、ＵＥに対して、ＥＰＤＣＣＨ物理リソースセットｎを設定し、このとき、基地局は、ＥＰＤＣＣＨ物理リソースセットｎがキャリアＭに関連付けられるように指示する。一方、基地局は、ＵＥに対して、ＥＰＤＣＣＨ物理リソースセットｎ＋１を設定し、このとき、基地局は、ＥＰＤＣＣＨ物理リソースセットｎ＋１がキャリアＭ＋２に関連付けられるように指示する。この場合、ＵＥは、ＥＰＤＣＣＨ物理リソースセットｎ中のキャリアＭに属する制御情報を検出し得、かつＵＥは、ＥＰＤＣＣＨ物理リソースセットｎ＋１中のキャリアＭ＋２に属する制御情報及びキャリアＢに属する制御情報を検出し得る。
【００９９】
さらに、ＥＰＤＣＣＨ物理リソースセットｎとＥＰＤＣＣＨ物理リソースセットｎ＋１とが物理空間で重複しないので、ＵＥがＥＰＤＣＣＨ物理リソースセットｎ中の制御情報を検出するときに、キャリアＭに属する制御情報がキャリアＭ＋２に属する制御情報と間違えられる可能性があり、同様に、ＵＥがＥＰＤＣＣＨ物理リソースセットｎ＋１中の制御情報を検出するときに、キャリアＭに属する制御情報がキャリアＭ＋２に属する制御情報と間違えられる可能性がある。この場合、ＣＩＦフィールドの動的な指示は必要ない。基地局は、静的な指示を設定する必要だけがある。換言すれば、ＥＰＤＣＣＨ物理リソースセットｎ中の制御情報を検出するときに、ＵＥは、デフォルト設定により、制御情報をキャリアＭに対応するものとみなし、かつＥＰＤＣＣＨ物理リソースセットｎ＋１中の制御情報を検出するときに、ＵＥは、デフォルト設定により、制御情報をキャリアＭ＋２に対応するものとみなす。
【０１００】
＜第４実施形態＞
図５Ａは、本発明の一実施形態による、制御情報を伝送するための方法を示す。図５Ａに示されるように、この実施形態における制御情報を伝送するための方法は、以下に記載したようなものである。
【０１０１】
ステップ５０１：ＵＥは、ＥＰＤＣＣＨ物理リソースセットを使用して基地局によって送信される制御情報を受信する。ここで、基地局は、制御情報を送信する前に、制御情報を送信するための物理リソースをマッピング規則に従って決定する。
【０１０２】
ステップ５０２：ＵＥは、制御情報が適用されるキャリアをマッピング規則に従って決定する。ここで、制御情報を搬送するキャリアは、制御情報が適用されるキャリアと同一のキャリア又は異なるキャリアであり、かつマッピング規則は、キャリアと物理リソースとの対応を示す。
【０１０３】
換言すれば、ＥＰＤＣＣＨ物理リソースセットを選択することによって制御情報を送信する準備を行うときに、基地局は、制御情報を送信するための物理リソースを、マッピング規則に従ってＥＰＤＣＣＨ物理リソースセットから決定する。
【０１０４】
上記の物理リソースは、ＥＰＤＣＣＨ−ＰＲＢ−ＳＥＴ、ＥＰＤＣＣＨ−ＰＲＢ−ＳＥＴ中のＰＲＢ対、ＥＰＤＣＣＨ−ＰＲＢ−ＳＥＴ中のＥＣＣＥ、ＥＰＤＣＣＨ−ＰＲＢ−ＳＥＴ中のＥＲＥＧ、又はＥＰＤＣＣＨ−ＰＲＢ−ＳＥＴ中のＡＰを含んでよい。物理リソースは、ＥＰＤＣＣＨに関するリソースであり、この実施形態は例示に過ぎない。
【０１０５】
例えば、マッピング規則は、基地局によって設定されて送信され、ＵＥによって受信される規則であってよい。
【０１０６】
また、実際の運用時には、マッピング規則は、予め規定されており、基地局とＵＥとの両方に知られた規則であってもよい。例えば、マッピング規則は、現在のＬＴＥ−Ａ規格で規定される、基地局とＵＥとの両方に知られた規則である。
【０１０７】
以下では、上記のマッピング規則について簡単に説明する。
【０１０８】
マッピング規則は、ＥＰＤＣＣＨ物理リソースセットを一つの単位として使用して、ＥＰＤＣＣＨ物理リソースセットとキャリアとの対応を確立する規則、又は、ＥＰＤＣＣＨ物理リソースセット中のＥＣＣＥを一つの要素として使用して、ＥＣＣＥとキャリアとの対応を確立する規則、又は、ＥＰＤＣＣＨ物理リソースセット中のＰＲＢ対を一つの要素として使用して、ＰＲＢ対とキャリアとの対応を確立する規則、又は、ＥＰＤＣＣＨ物理リソースセット中のＥＲＥＧを一つの要素として使用して、ＥＲＥＧとキャリアとの対応を確立する規則、又は、ＥＰＤＣＣＨ物理リソースセット中のＡＰを一つの要素として使用して、ＡＰとキャリアとの対応を確立する規則を含んでよい、ということが理解されよう。
【０１０９】
実現可能な応用シナリオにおいて、マッピング規則は、複数のＥＰＤＣＣＨ物理リソースセットを整列させ、複数のキャリアを整列させ、整列させた複数のＥＰＤＣＣＨ物理リソースセットと整列された複数のキャリアとの対応を確立することであってよい。
【０１１０】
例えば、複数のＥＰＤＣＣＨ物理リソースセットを整列させることは、ＥＰＤＣＣＨ物理リソースセットのＩＤに従って、複数のＥＰＤＣＣＨ物理リソースセットを整列させることであってよい。さらに、複数のキャリアを整列させることは、キャリアのＩＤに従って、複数のキャリアを整列させることであってよい。また、当然ながら、別の実施形態では、整列は別の手法で実行されてもよい。この実施形態は、例示に過ぎず、整列手法を限定しない。
【０１１１】
別の実現可能な応用シナリオにおいて、マッピング規則は、複数のＥＣＣＥをＥＰＤＣＣＨ物理リソースセットにグループ化し、複数のキャリアを整列させ、グループ化された複数のＥＣＣＥと整列された複数のキャリアとの対応を確立することであってよい。
【０１１２】
例えば、ＥＰＤＣＣＨ物理リソースセット中の複数のＥＣＣＥがグループ化されるときに、キャリアの番号がＥＣＣＥのインデックス値によって除算されて剰余が取得され、同一の演算結果を有する複数のＥＣＣＥが１つのグループにグループ化され、グループと、複数のキャリアが整列された後に演算結果として同一のシーケンス番号を有するキャリアとの間に対応が確立される。当然ながら、複数のキャリアを整列させるための複数の手法が存在し得、かつＥＰＤＣＣＨ物理リソースセット中の複数のＥＣＣＥをグループ化するための複数の手法が存在し得る。この実施形態におけるマッピング規則は例示に過ぎない。
【０１１３】
以上の記載に基づき、この実施形態における制御情報を伝送するための方法によれば、制御情報を受信するときに、ＵＥは、制御情報が適用されるキャリアをマッピング規則に従って決定し得る。ここで、制御情報を搬送するキャリアは、制御情報が適用されるキャリアと同一のキャリア又は異なるキャリアである。このようにして、ＥＰＤＣＣＨ物理リソースが使用される場合に、クロスキャリアスケジューリングもまた実現でき、それにより、従来技術のＬＴＥシステムにおけるクロスキャリアスケジューリングをサポート可能なＥＰＤＣＣＨの設定の不足に起因した制御情報のオーバーヘッド増大及びリソース浪費の問題を解決する。
【０１１４】
＜第５実施形態＞
図５Ｂは、本発明の一実施形態による、制御情報を伝送するための方法を示す。図５Ｂに示されるように、本実施形態における制御情報を伝送するための方法は、以下に記載したようなものである。
【０１１５】
ステップ５１１：ＵＥは、基地局によってＥＰＤＣＣＨ物理リソースセットが設定されるときに確立され、基地局によって送信されるマッピング規則を受信するか、又は、ＵＥは、基地局によってキャリアが設定されるときに確立され、基地局によって送信されるマッピング規則を受信する。ここで、マッピング規則は、キャリアと物理リソースとの対応を示してよい。
【０１１６】
ステップ５１２：ＵＥは、ＥＰＤＣＣＨ物理リソースセットを使用して基地局によって送信された制御情報を受信する。ここで、基地局は、制御情報を送信する前に、制御情報を送信するための物理リソースをマッピング規則に従って決定する。
【０１１７】
ステップ５１３：ＵＥは、制御情報が適用されるキャリアをマッピング規則に従って決定する。ここで、制御情報を搬送するキャリアは、制御情報が適用されるキャリアと同一のキャリア又は異なるキャリアである。
【０１１８】
上記の実施形態から明らかなように、この実施形態における制御情報を伝送するための方法によれば、基地局は、ＵＥに配信されるマッピング規則を予め設定し、次いで、ＥＰＤＣＣＨ物理リソースセットを使用して、制御情報をＵＥに送信する。ここで、制御情報を送信するための物理リソースは、制御情報が適用されるキャリアをＵＥがＥＰＤＣＣＨ物理リソースセットとキャリアとの対応についてのマッピング規則に従って決定できるように、マッピング規則に従って決定される。制御情報が適用されるキャリアは、制御情報を搬送するキャリアと同一のキャリア又は異なるキャリアである。それにより、従来技術のＬＴＥシステムにおけるクロスキャリアスケジューリングをサポート可能なＥＰＤＣＣＨの設定の不足に起因した制御情報のオーバーヘッド増大及びリソース浪費の問題を解決する。
【０１１９】
＜第６実施形態＞
図６は、本発明の一実施形態による、制御情報を伝送するための方法を示す。図６に示されるように、この実施形態における制御情報を伝送するための方法は、以下に記載したようなものである。
【０１２０】
ステップ６０１：ＵＥは、基地局によって送信される制御情報を受信する。ここで、制御情報は、基地局により、ＥＰＤＣＣＨ物理リソースセットを使用し、指示情報の少なくとも一部分と組み合わせられて、ＵＥに送信される。
【０１２１】
ステップ６０２：ＵＥは、制御情報が適用されるキャリアを指示情報の少なくとも一部分に従って決定する。ここで、制御情報を搬送するキャリアは、制御情報が適用されるキャリアと同一のキャリア又は異なるキャリアである。
【０１２２】
例えば、指示情報は、キャリア指示子フィールド、例えば、ＣＩＦであってよい。さらに、実際には、指示情報は、制御情報が適用される少なくとも１つのキャリアの識別子を含んでもよい。
【０１２３】
したがって、この実施形態における制御情報を伝送するための方法によれば、クロスキャリアスケジューリングは、ＥＰＤＣＣＨにおいて実現でき、それにより、従来技術における、制御情報のオーバーヘッド増大及びリソース浪費の問題を解決する。
【０１２４】
＜第７実施形態＞
本発明の別の態様によれば、本発明の一実施形態は、基地局をさらに提供する。基地局は、送信ユニットを含む。
【０１２５】
送信ユニットは、拡張物理下りリンク制御チャネルＥＰＤＣＣＨ物理リソースセットを使用して、制御情報をユーザ機器ＵＥに送信するように構成される。基地局は、制御情報が適用されるキャリアをＵＥがマッピング規則に従って決定できるように、制御情報を送信するための物理リソースをマッピング規則に従って決定する。ここで、制御情報を搬送するキャリアは、制御情報が適用されるキャリアと同一のキャリア又は異なるキャリアであり、かつマッピング規則は、キャリアと物理リソースとの対応を示す。
【０１２６】
特に、送信ユニットが制御情報を送信する前に、基地局は、上記のマッピング規則を設定し、送信ユニットを使用して、上記のマッピング規則をＵＥに送信するようにさらに構成される。
【０１２７】
あるいは、別の応用シナリオにおいて、マッピング規則は、予め設定されており、基地局とＵＥとの両方に知られた規則である。
【０１２８】
図７に示されるように、図７は、本発明の一実施形態による基地局の概略的な構成図を示す。この実施形態における基地局は、マッピング規則確立ユニット７１と、送信ユニット７２とをさらに含む。
【０１２９】
マッピング規則確立ユニット７１は、ＥＰＤＣＣＨ物理リソースセットが設定されるときにマッピング規則を確立するように構成されるか、又はキャリアが設定されるときにマッピング規則を確立するように構成される。
送信ユニット７２は、マッピング規則確立ユニットによって確立されたマッピング規則をＵＥに送信するように構成される。
送信ユニット７２は、拡張物理下りリンク制御チャネルＥＰＤＣＣＨ物理リソースセットを使用して、制御情報をユーザ機器ＵＥに送信するようにさらに構成される。ここで、基地局は、制御情報が適用されるキャリアをＵＥがマッピング規則に従って決定できるように、制御情報を送信するための物理リソースをマッピング規則に従って決定する。
【０１３０】
特に、制御情報を搬送するキャリアは、制御情報が適用されるキャリアと同一のキャリア又は異なるキャリアであり、かつマッピング規則は、キャリアと物理リソースとの対応を示す。
【０１３１】
例えば、物理リソースは、ＥＰＤＣＣＨ−ＰＲＢ−ＳＥＴ、ＥＰＤＣＣＨ−ＰＲＢ−ＳＥＴ中のＰＲＢ対、ＥＰＤＣＣＨ−ＰＲＢ−ＳＥＴ中のＥＣＣＥ、ＥＰＤＣＣＨ−ＰＲＢ−ＳＥＴ中のＥＲＥＧ、又はＥＰＤＣＣＨ−ＰＲＢ−ＳＥＴ中のＡＰを含んでよい。物理リソースは、ＥＰＤＣＣＨに関するリソースであり、この実施形態は例示に過ぎない。
【０１３２】
マッピング規則は、ＥＰＤＣＣＨ物理リソースセットを一つの単位として使用して、ＥＰＤＣＣＨ物理リソースセットとキャリアとの対応を確立する規則、又は、ＥＰＤＣＣＨ物理リソースセット中のＥＣＣＥを一つの要素として使用して、ＥＣＣＥとキャリアとの対応を確立する規則、又は、ＥＰＤＣＣＨ物理リソースセット中のＰＲＢ対を一つの要素として使用して、ＰＲＢ対とキャリアとの対応を確立する規則、又は、ＥＰＤＣＣＨ物理リソースセット中のＥＲＥＧを一つの要素として使用して、ＥＲＥＧとキャリアとの対応を確立する規則、又は、ＥＰＤＣＣＨ物理リソースセット中のＡＰを一つの要素として使用して、ＡＰとキャリアとの対応を確立する規則を含んでよい、ということが理解されよう。
【０１３３】
実現可能な応用シナリオにおいて、マッピング規則は、複数のＥＰＤＣＣＨ物理リソースセットを整列させ、複数のキャリアを整列させ、整列させた複数のＥＰＤＣＣＨ物理リソースセットと整列された複数のキャリアとの対応を確立することであってよい。
【０１３４】
例えば、複数のＥＰＤＣＣＨ物理リソースセットを整列させることは、ＥＰＤＣＣＨ物理リソースセットのＩＤに従って、複数のＥＰＤＣＣＨ物理リソースセットを整列させることであってよい。さらに、複数のキャリアを整列させることは、キャリアのＩＤに従って、複数のキャリアを整列させることであってよい。当然ながら、別の実施形態では、整列は別の手法でさらに実行されてもよい。この実施形態は、例示に過ぎず、整列手法を限定しない。
【０１３５】
別の実現可能な応用シナリオにおいて、マッピング規則は、複数のＥＣＣＥをＥＰＤＣＣＨ物理リソースセットにグループ化し、複数のキャリアを整列させ、グループ化された複数のＥＣＣＥと整列された複数のキャリアとの対応を確立することであってよい。
【０１３６】
例えば、ＥＰＤＣＣＨ物理リソースセット中の複数のＥＣＣＥがグループ化されるときに、キャリアの番号がＥＣＣＥのインデックス値によって除算されて剰余が取得され、同一の演算結果を有する複数のＥＣＣＥが１つのグループにグループ化され、グループと、複数のキャリアが整列された後に演算結果として同一のシーケンス番号を有するキャリアと間に対応が確立される。当然ながら、複数のキャリアを整列させるための複数の手法が存在し得、かつＥＰＤＣＣＨ物理リソースセット中の複数のＥＣＣＥをグループ化するための複数の手法が存在し得る。この実施形態におけるマッピング規則は例示に過ぎない。
【０１３７】
上記の基地局は、ＥＰＤＣＣＨを使用してクロスキャリアスケジューリングを実現するように、ＥＰＤＣＣＨを設定でき、それにより、従来技術における、制御情報のオーバーヘッド増大及びリソース浪費の問題を解決する。
【０１３８】
実際の運用時には、基地局は、プロセッサと、メモリとを含んでよい。ここで、プロセッサは、上記の送信ユニットによって実施される機能を実行するように構成される。さらに、プロセッサは、上記のマッピング規則確立ユニットによって実施される機能を実行するようにさらに構成される。メモリは、マッピング規則を格納するように構成される。
【０１３９】
例えば、プロセッサは、拡張物理下りリンク制御チャネルＥＰＤＣＣＨ物理リソースセットを使用して、制御情報をユーザ機器ＵＥに送信するように構成される。基地局は、制御情報が適用されるキャリアをＵＥがマッピング規則に従って決定できるように、制御情報を送信するための物理リソースをマッピング規則に従って決定する。
【０１４０】
特に、制御情報を搬送するキャリアは、制御情報が適用されるキャリアと同一のキャリア又は異なるキャリアであり、かつマッピング規則は、キャリアと物理リソースとの対応を示す。
【０１４１】
換言すれば、ＥＰＤＣＣＨ物理リソースセットを使用して制御情報を送信するための準備を行うときに、プロセッサは、制御情報を送信するための物理リソースを、マッピング規則に従ってＥＰＤＣＣＨ物理リソースセットから決定し、次いで、制御情報をＵＥに送信する。
【０１４２】
例示的な実装シナリオにおいて、プロセッサは、ＥＰＤＣＣＨ物理リソースセットが設定されたときにマッピング規則を確立するようにさらに構成されるか、又はキャリアが設定されたときにマッピング規則を確立するようにさらに構成される。
【０１４３】
さらに、プロセッサは、確立されたマッピング規則をＵＥに送信する。
【０１４４】
上記の基地局は、ＥＰＤＣＣＨを使用してクロスキャリアスケジューリングを実施するように、ＥＰＤＣＣＨを設定でき、それにより、従来技術における、制御情報のオーバーヘッド増大及びリソース浪費の問題を解決する。
【０１４５】
＜第８実施形態＞
本発明の別の態様によれば、本発明の一実施形態は、基地局をさらに提供する。基地局は、送信ユニットを含む。ここで、送信ユニットは、制御情報が適用されるキャリアをＵＥが指示情報の少なくとも一部分に従って決定できるように、ＥＰＤＣＣＨ物理リソースセットを使用し、指示情報の少なくとも一部分と組み合わせて、制御情報をＵＥに送信するように構成される。ここで、制御情報を搬送するキャリアは、制御情報が適用されるキャリアと同一のキャリア又は異なるキャリアである。
【０１４６】
例えば、指示情報は、キャリア指示子フィールド、例えば、ＣＩＦであってよい。当然ながら、実際の運用時には、指示情報は、制御情報が適用される少なくとも１つのキャリアの識別子を含んでもよい。
【０１４７】
この実施形態における基地局は、ＥＰＤＣＣＨを使用してクロスキャリアスケジューリングを実施するために、ＥＰＤＣＣＨを設定でき、それにより、従来技術における制御情報のオーバーヘッド増大及びリソース浪費の問題を解決する。
【０１４８】
実際の運用時には、基地局は、プロセッサを含んでよく、ここで、プロセッサは、上記の送信ユニットによって実施される機能を実行するように構成される。
【０１４９】
例えば、プロセッサは、制御情報が適用されるキャリアをＵＥが指示情報の少なくとも一部分に従って決定できるように、ＥＰＤＣＣＨ物理リソースセットを使用し、指示情報の少なくとも一部分と組み合わせて、制御情報をＵＥに送信するように構成されてよい。ここで、制御情報を搬送するキャリアは、制御情報が適用されるキャリアと同一のキャリア又は異なるキャリアである。
【０１５０】
＜第９実施形態＞
本発明の別の態様によれば、本発明の一実施形態は、ユーザ機器をさらに提供する。図８に示されるように、ユーザ機器は、受信ユニット８１と、決定ユニット８２とを含む。
【０１５１】
受信ユニット８１は、拡張物理下りリンク制御チャネルＥＰＤＣＣＨ物理リソースセットを使用して基地局によって送信された制御情報を受信する。ここで、基地局は、制御情報を送信する前に、制御情報を送信するための物理リソースをマッピング規則に従って決定する。
決定ユニット８２は、制御情報が適用されるキャリアをマッピング規則に従って決定するように構成される。ここで、制御情報を搬送するキャリアは、制御情報が適用されるキャリアと同一のキャリア又は異なるキャリアであり、かつマッピング規則は、キャリアと物理リソースとの対応を示す。
【０１５２】
例えば、マッピング規則は、基地局によって設定されて送信され、受信ユニット８１によって受信される規則であってよく、又は、マッピング規則は、予め規定されており、基地局とＵＥとの両方に知られた規則であってもよい。
【０１５３】
選択的な応用シナリオでは、受信ユニット８１は、基地局によって送信される、ＥＰＤＣＣＨ物理リソースセットが設定されたときに基地局によって確立されたマッピング規則を受信するように、又は、基地局によって送信される、キャリアが設定されたときに基地局によって確立されたマッピング規則を受信するようにさらに構成される。
【０１５４】
マッピング規則については、他の諸実施形態の記載を参照してよい。
【０１５５】
この実施形態におけるユーザ機器は、ＥＰＤＣＣＨにおけるクロスキャリアスケジューリングを実施でき、それにより、従来技術における制御情報のオーバーヘッド増大及びリソース浪費の問題を解決する。
【０１５６】
実際の運用時には、ユーザ機器は、プロセッサと、メモリとを含んでよく、ここで、プロセッサは、受信ユニット８１及び決定ユニット８２によって実施される機能を実行するように構成され、かつメモリは、マッピング規則を格納するように構成される。
【０１５７】
例えば、ユーザ機器のプロセッサは、ＥＰＤＣＣＨ物理リソースセットを使用して基地局によって送信された制御情報を受信するように構成されてよい。基地局は、制御情報を送信する前に、制御情報を送信するための物理リソースをマッピング規則に従って決定し、制御情報が適用されるキャリアをマッピング規則に従って決定するように構成される。
【０１５８】
制御情報を搬送するキャリアは、制御情報が適用されるキャリアと同一のキャリア又は異なるキャリアであり、マッピング規則は、キャリアと物理リソースとの対応を示す。
【０１５９】
＜第１０実施形態＞
本発明の別の態様によれば、本発明の一実施形態は、ユーザ機器をさらに提供する。図８に示されるように、ユーザ機器は、受信ユニット８１と、決定ユニット８２とを含む。
【０１６０】
受信ユニット８１は、基地局によって送信された制御情報を受信するように構成される。ここで、制御情報は、拡張物理下りリンク制御チャネルＥＰＤＣＣＨ物理リソースセットを使用し、指示情報の少なくとも一部分と組み合わされて、基地局によってユーザ機器ＵＥに送信される。
決定ユニット８２は、制御情報が適用されるキャリアを、指示情報の少なくとも一部分に従って決定するように構成される。ここで、制御情報を搬送するキャリアは、制御情報が適用されるキャリアと同一のキャリア又は異なるキャリアである。
【０１６１】
例えば、指示情報は、キャリア指示フィールド、例えば、ＣＩＦであってよい。実際の運用時には、指示情報は、制御情報が適用される少なくとも１つのキャリアの識別子を含んでよい。
【０１６２】
この実施形態のユーザ機器は、ＥＰＤＣＣＨにクロスキャリアスケジューリングを実施でき、それにより、従来技術における、制御情報のオーバーヘッドの増大及びリソースの浪費の問題を解決する。
【０１６３】
この実施形態の基地局は、広い概念であることに留意されたい。基地局は、基地トランシーバ局、基地局コントローラ、ＮｏｄｅＢ、ｅＮｏｄｅＢ、無線ネットワークコントローラ（Radio Network Controller，ＲＮＣ）等であってよい。基地局は、この実施形態に限定されず、実際の要件に従って設定される。さらに、上記のプロセッサは、中央処理ユニット（Central Processing Unit，ＣＰＵ）であってよい。
【０１６４】
ユーザ機器及び基地局の上記の実施形態において、機能的モデルの分割は例示に過ぎず、実際の運用時には、上記の機能は、該機能のすべて又はその一部分を完成させるために、要件、例えば、関連するハードウェアの又はソフトウェアの実装の都合の設定要件に従って、異なる機能的ユニットに割り当てられ、異なる機能的ユニットによって実施されてよい、ということに留意されたい。さらに、実際の運用時には、実施形態中の対応する機能的ユニットは、対応するハードウェアによって実装されてよく、又は対応するソフトウェアを実行する対応するハードウェアによって実装されてもよい。例えば、上記の送信ユニットは、ハードウェア、例えば、上記の送信ユニットの機能を有した送信機であってよく、又は、上記の機能を完成させるための対応するコンピュータプログラムを実行可能な他のハードウェアデバイスであってもよい。別の例として、上記の決定ユニットは、ハードウェア、例えば、決定ユニットの機能を有したプロセッサであってよく、又は、上記の機能を完成させるための対応するコンピュータプログラムを実行可能な他のハードウェアデバイスであってもよい。別の例として、上記の受信ユニットは、ハードウェア、例えば、上記の受信ユニットの機能を有した受信機であってよく、又は、上記の機能を完成させるための対応するコンピュータプログラムを実行可能な汎用プロセッサ若しくは他のハードウェアデバイスであってもよい（上記の説明の原理は、この明細書で提供されるすべての実施形態に適用できる）。
【０１６５】
方法の実施形態のすべてのステップ又は一部のステップは、関連するハードウェアに命令するプログラムによって実装され得る、ということが当技術分野において通常の知識を有する者には理解されよう。プログラムは、コンピュータ読み取り可能な記録媒体に格納され得る。プログラムが実行されるとき、方法の実施形態のステップが実行される。上記の記録媒体は、ＲＯＭ、ＲＡＭ、磁気ディスク、又は光ディスクなど、プログラムコードを格納可能な任意の媒体を含む。
【０１６６】
最後に、上記の諸実施形態は、本発明を限定するのではなく、本発明の技術的解決策を説明することを意図しているに過ぎないことに留意されたい。本発明が上記の諸実施形態を参照して詳細に記載されたが、当技術分野において通常の知識を有する者は、彼ら自身が、上記の諸実施形態として記載された技術的解決策にさらに修正を加え得ること、又は、そのような技術的解決策の一部分又はすべてに均等な置換を行い得ることを理解し得よう。そのような修正又は置換は、対応する技術的解決策の本質を本発明の諸実施形態の技術的解決策の範囲から逸脱させるものではない。
【符号の説明】
【０１６７】
７１  マッピング規則確立ユニット
７２  送信ユニット
８１  受信ユニット
８２  決定ユニット
【図１】
2015537455.tif 000004
【図２】
2015537455.tif 000005
【図３Ａ】
2015537455.tif 000006
【図３Ｂ】
2015537455.tif 000007
【図３Ｃ】
2015537455.tif 000008
【図４Ａ】
2015537455.tif 000009
【図４Ｂ】
2015537455.tif 000010
【図４Ｃ】
2015537455.tif 000011
【図５Ａ】
2015537455.tif 000012
【図５Ｂ】
2015537455.tif 000013
【図６】
2015537455.tif 000014
【図７】
2015537455.tif 000015
【図８】
2015537455.tif 000016
【手続補正書】
【提出日】平成27年6月10日(2015.6.10)
【手続補正１】
【補正対象書類名】明細書
【補正対象項目名】０００９
【補正方法】変更
【補正の内容】
【０００９】
第１態様によれば、本発明の一実施態様は、制御情報を伝送するための方法を提供し、本方法は、
基地局により、拡張物理下りリンク制御チャネル（ＥＰＤＣＣＨ）物理リソースセットを使用して、ユーザ機器（ＵＥ）に制御情報を送信するステップを有する。ここで、基地局は、制御情報が適用されるキャリアをＵＥがマッピング規則に従って決定できるように、制御情報を送信するための物理リソースをマッピング規則に従って決定する。
ここで、制御情報を搬送するキャリアは、制御情報が適用されるキャリアと同一のキャリア又は異なるキャリアであり、かつマッピング規則は、キャリアと物理リソースとの対応を示す。
【手続補正２】
【補正対象書類名】明細書
【補正対象項目名】００１１
【補正方法】変更
【補正の内容】
【００１１】
第１態様及び上記の実現可能な実施手法を引用する、第２の実現可能な実施手法において、マッピング規則は、
ＥＰＤＣＣＨ物理リソースセットを一つの単位として使用して、ＥＰＤＣＣＨ物理リソースセットとキャリアとの対応を確立する規則、又は、
ＥＰＤＣＣＨ物理リソースセット中の拡張制御チャネル要素（ＥＣＣＥ）を一つの要素として使用して、ＥＣＣＥとキャリアとの対応を確立する規則、又は、
ＥＰＤＣＣＨ物理リソースセット中の物理リソースブロック（ＰＲＢ）対を一つの要素として使用して、ＰＲＢ対とキャリアとの対応を確立する規則、又は、
ＥＰＤＣＣＨ物理リソースセット中の拡張リソース要素グループ（ＥＲＥＧ）を一つの要素として使用して、ＥＲＥＧとキャリアとの対応を確立する規則、又は、
ＥＰＤＣＣＨ物理リソースセット中のアンテナポート（ＡＰ）を一つの要素として使用して、ＡＰとキャリアとの対応を確立する規則を含む。
【手続補正３】
【補正対象書類名】明細書
【補正対象項目名】００２０
【補正方法】変更
【補正の内容】
【００２０】
第２態様及び上記の実現可能な実施手法を引用する、第２の実現可能な実施手法において、マッピング規則は、
ＥＰＤＣＣＨ物理リソースセットを一つの単位として使用して、ＥＰＤＣＣＨ物理リソースセットとキャリアとの対応を確立する規則、又は、
ＥＰＤＣＣＨ物理リソースセット中の拡張制御チャネル要素（ＥＣＣＥ）を一つの要素として使用して、ＥＣＣＥとキャリアとの対応を確立する規則、又は、
ＥＰＤＣＣＨ物理リソースセット中の物理リソースブロック（ＰＲＢ）対を一つの要素として使用して、ＰＲＢ対とキャリアとの対応を確立する規則、又は、
ＥＰＤＣＣＨ物理リソースセット中の拡張リソース要素グループ（ＥＲＥＧ）を一つの要素として使用して、ＥＲＥＧとキャリアとの対応を確立する規則、又は、
ＥＰＤＣＣＨ物理リソースセット中のアンテナポート（ＡＰ）を一つの要素として使用して、ＡＰとキャリアとの対応を確立する規則を含む。
【手続補正４】
【補正対象書類名】明細書
【補正対象項目名】００２３
【補正方法】変更
【補正の内容】
【００２３】
第３態様によれば、本発明の一実施態様は、基地局をさらに提供する。基地局は、
拡張物理下りリンク制御チャネル（ＥＰＤＣＣＨ）物理リソースセットを使用して、ユーザ機器（ＵＥ）に制御情報を送信するように構成された送信ユニットを具備する。ここで、基地局は、制御情報が適用されるキャリアをＵＥがマッピング規則に従って決定できるように、制御情報を送信するための物理リソースをマッピング規則に従って決定する。
ここで、制御情報を搬送するキャリアは、制御情報が適用されるキャリアと同一のキャリア又は異なるキャリアであり、かつマッピング規則は、キャリアと物理リソースとの対応を示す。
【手続補正５】
【補正対象書類名】明細書
【補正対象項目名】００４９
【補正方法】変更
【補正の内容】
【００４９】
さらに、上記のマッピング規則は、ＥＰＤＣＣＨ物理リソースセットを一つの単位として使用して、ＥＰＤＣＣＨ物理リソースセットとキャリアとの対応を確立する規則、又は、ＥＰＤＣＣＨ物理リソースセット中の拡張制御チャネル要素（ＥＣＣＥ）を一つの要素として使用して、ＥＣＣＥとキャリアとの対応を確立する規則、又は、ＥＰＤＣＣＨ物理リソースセット中の物理リソースブロック（ＰＲＢ）対を一つの要素として使用して、ＰＲＢ対とキャリアとの対応を確立する規則、又は、ＥＰＤＣＣＨ物理リソースセット中の拡張リソース要素グループ（ＥＲＥＧ）を一つの要素として使用して、ＥＲＥＧとキャリアとの対応を確立する規則、又は、ＥＰＤＣＣＨ物理リソースセット中のアンテナポート（ＡＰ）を一つの要素として使用して、ＡＰとキャリアとの対応を確立する規則を含み得る。
【手続補正６】
【補正対象書類名】明細書
【補正対象項目名】００５３
【補正方法】変更
【補正の内容】
【００５３】
本発明の諸実施形態のうちのいずれか１つにおいて、マッピング規則は、ＥＰＤＣＣＨ物理リソースセットを一つの単位として使用して、ＥＰＤＣＣＨ物理リソースセットとキャリアとの対応を確立する規則、又は、ＥＰＤＣＣＨ物理リソースセット中のＥＣＣＥを一つの要素として使用して、ＥＣＣＥとキャリアとの対応を確立する規則、又は、ＥＰＤＣＣＨ物理リソースセット中の物理リソースブロック（ＰＲＢ）対を一つの要素として使用して、ＰＲＢ対とキャリアとの対応を確立する規則、又は、ＥＰＤＣＣＨ物理リソースセット中の拡張リソース要素グループ（ＥＲＥＧ）を一つの要素として使用して、ＥＲＥＧとキャリアとの対応を確立する規則、又は、ＥＰＤＣＣＨ物理リソースセット中のＡＰを一つの要素として使用して、ＡＰとキャリアとの対応を確立する規則を含み得ることに留意されたい。
【手続補正７】
【補正対象書類名】明細書
【補正対象項目名】００８９
【補正方法】変更
【補正の内容】
【００８９】
＜第３実施形態＞
この実施形態は、特に、基地局により、制御情報が適用されるキャリアをＵＥが指示情報の少なくとも一部分に従って決定できるように、拡張物理下りリンク制御チャネル（ＥＰＤＣＣＨ）物理リソースセットを使用し、指示情報の少なくとも一部分と組み合わせて、制御情報をＵＥに送信するステップを有する、制御情報を伝送するための方法を提供する。ここで、制御情報を搬送するキャリアは、制御情報が適用されるキャリアと同一のキャリア又は異なるキャリアであってよい。
【手続補正８】
【補正対象書類名】明細書
【補正対象項目名】０１２５
【補正方法】変更
【補正の内容】
【０１２５】
送信ユニットは、拡張物理下りリンク制御チャネル（ＥＰＤＣＣＨ）物理リソースセットを使用して、制御情報をユーザ機器（ＵＥ）に送信するように構成される。基地局は、制御情報が適用されるキャリアをＵＥがマッピング規則に従って決定できるように、制御情報を送信するための物理リソースをマッピング規則に従って決定する。ここで、制御情報を搬送するキャリアは、制御情報が適用されるキャリアと同一のキャリア又は異なるキャリアであり、かつマッピング規則は、キャリアと物理リソースとの対応を示す。
【手続補正９】
【補正対象書類名】明細書
【補正対象項目名】０１２９
【補正方法】変更
【補正の内容】
【０１２９】
マッピング規則確立ユニット７１は、ＥＰＤＣＣＨ物理リソースセットが設定されるときにマッピング規則を確立するように構成されるか、又はキャリアが設定されるときにマッピング規則を確立するように構成される。
送信ユニット７２は、マッピング規則確立ユニットによって確立されたマッピング規則をＵＥに送信するように構成される。
送信ユニット７２は、拡張物理下りリンク制御チャネル（ＥＰＤＣＣＨ）物理リソースセットを使用して、制御情報をユーザ機器（ＵＥ）に送信するようにさらに構成される。ここで、基地局は、制御情報が適用されるキャリアをＵＥがマッピング規則に従って決定できるように、制御情報を送信するための物理リソースをマッピング規則に従って決定する。
【手続補正１０】
【補正対象書類名】明細書
【補正対象項目名】０１３９
【補正方法】変更
【補正の内容】
【０１３９】
例えば、プロセッサは、拡張物理下りリンク制御チャネル（ＥＰＤＣＣＨ）物理リソースセットを使用して、制御情報をユーザ機器（ＵＥ）に送信するように構成される。基地局は、制御情報が適用されるキャリアをＵＥがマッピング規則に従って決定できるように、制御情報を送信するための物理リソースをマッピング規則に従って決定する。
【手続補正１１】
【補正対象書類名】明細書
【補正対象項目名】０１５１
【補正方法】変更
【補正の内容】
【０１５１】
受信ユニット８１は、拡張物理下りリンク制御チャネル（ＥＰＤＣＣＨ）物理リソースセットを使用して基地局によって送信された制御情報を受信する。ここで、基地局は、制御情報を送信する前に、制御情報を送信するための物理リソースをマッピング規則に従って決定する。
決定ユニット８２は、制御情報が適用されるキャリアをマッピング規則に従って決定するように構成される。ここで、制御情報を搬送するキャリアは、制御情報が適用されるキャリアと同一のキャリア又は異なるキャリアであり、かつマッピング規則は、キャリアと物理リソースとの対応を示す。
【手続補正１２】
【補正対象書類名】明細書
【補正対象項目名】０１６０
【補正方法】変更
【補正の内容】
【０１６０】
受信ユニット８１は、基地局によって送信された制御情報を受信するように構成される。ここで、制御情報は、拡張物理下りリンク制御チャネル（ＥＰＤＣＣＨ）物理リソースセットを使用し、指示情報の少なくとも一部分と組み合わされて、基地局によってユーザ機器（ＵＥ）に送信される。
決定ユニット８２は、制御情報が適用されるキャリアを、指示情報の少なくとも一部分に従って決定するように構成される。ここで、制御情報を搬送するキャリアは、制御情報が適用されるキャリアと同一のキャリア又は異なるキャリアである。
【手続補正１３】
【補正対象書類名】特許請求の範囲
【補正対象項目名】全文
【補正方法】変更
【補正の内容】
【特許請求の範囲】
【請求項１】
制御情報を伝送するための方法であって、
基地局により、拡張物理下りリンク制御チャネル（ＥＰＤＣＣＨ）物理リソースセットを使用して、ユーザ機器（ＵＥ）に制御情報を送信するステップを有し、
前記基地局は、前記制御情報が適用されるキャリアを前記ユーザ機器がマッピング規則に従って決定できるように、前記制御情報を送信するための物理リソースを前記マッピング規則に従って決定し、
前記制御情報を搬送するキャリアは、前記制御情報が適用されるキャリアと同一のキャリア又は異なるキャリアであり、
前記マッピング規則は、キャリアと物理リソースとの対応を示す、方法。
【請求項２】
前記物理リソースが、前記ＥＰＤＣＣＨ物理リソースセット（ＥＰＤＣＣＨ−ＰＲＢ−ＳＥＴ）を含む、請求項１に記載の方法。
【請求項３】
前記マッピング規則が、
ＥＰＤＣＣＨ物理リソースセットを一つの単位として使用して、ＥＰＤＣＣＨ物理リソースセットとキャリアとの対応を確立する規則、又は、
ＥＰＤＣＣＨ物理リソースセット中の拡張制御チャネル要素（ＥＣＣＥ）を一つの要素として使用して、ＥＣＣＥとキャリアとの対応を確立する規則、又は、
ＥＰＤＣＣＨ物理リソースセット中の物理リソースブロック（ＰＲＢ）対を一つの要素として使用して、ＰＲＢ対とキャリアとの対応を確立する規則、又は、
ＥＰＤＣＣＨ物理リソースセット中の拡張リソース要素グループ（ＥＲＥＧ）を一つの要素として使用して、ＥＲＥＧとキャリアとの対応を確立する規則、又は、
ＥＰＤＣＣＨ物理リソースセット中のアンテナポート（ＡＰ）を一つの要素として使用して、ＡＰとキャリアとの対応を確立する規則
を含む、請求項１又は２に記載の方法。
【請求項４】
前記マッピング規則が、前記基地局によって設定されて前記ユーザ機器に送信される規則であるか、又は、
前記マッピング規則が、予め規定されており、前記基地局と前記ユーザ機器との両方に知られた規則である、請求項１ないし３のいずれか一項に記載の方法。
【請求項５】
基地局により、ＥＰＤＣＣＨ物理リソースセットを使用して、ユーザ機器に制御情報を送信する前記ステップよりも前に、
前記基地局により、前記ＥＰＤＣＣＨ物理リソースセットを設定したときに前記マッピング規則を確立し、前記ユーザ機器に前記マッピング規則を送信するステップ、又は
前記基地局により、前記キャリアを設定したときに前記マッピング規則を確立し、前記ユーザ機器に前記マッピング規則を送信するステップ
をさらに有する、請求項１ないし３のいずれか一項に記載の方法。
【請求項６】
ＥＰＤＣＣＨ物理リソースセットを一つの単位として使用して、ＥＰＤＣＣＨ物理リソースセットとキャリアとの対応を確立する前記規則が、
複数のＥＰＤＣＣＨ物理リソースセットを整列させ、複数のキャリアを整列させ、整列された前記複数のＥＰＤＣＣＨ物理リソースセットと整列された前記複数のキャリアとの対応を確立することを含む、請求項３に記載の方法。
【請求項７】
前記複数のＥＰＤＣＣＨ物理リソースセットを整列させることが、前記複数のＥＰＤＣＣＨ物理リソースセットのＩＤに従って、前記複数のＥＰＤＣＣＨ物理リソースセットを整列させることであり、及び／又は
前記複数のキャリアを整列させることが、前記複数のキャリアのＩＤに従って、前記複数のキャリアを整列させることである、請求項６に記載の方法。
【請求項８】
ＥＰＤＣＣＨ物理リソースセット中のＥＣＣＥを一つの要素として使用して、ＥＣＣＥとキャリアとの対応を確立する前記規則が、
前記ＥＰＤＣＣＨ物理リソースセット中の複数のＥＣＣＥをグループ化し、複数のキャリアを整列させ、グループ化された前記複数のＥＣＣＥと整列された前記複数のキャリアとの対応を確立することを含む、請求項３に記載の方法。
【請求項９】
前記ＥＰＤＣＣＨ物理リソースセット中の複数のＥＣＣＥをグループ化し、複数のキャリアを整列させ、グループ化された前記複数のＥＣＣＥと整列された前記複数のキャリアとの対応を確立することが、
前記ＥＰＤＣＣＨ物理リソースセット中の前記複数のＥＣＣＥがグループ化されるときに、前記複数のキャリアの番号を前記複数のＥＣＣＥのインデックス値によって除算して剰余を取得し、同一の演算結果を有する複数のＥＣＣＥを一つのグループにグループ化し、
前記一つのグループと、前記複数のキャリアが整列された後に前記演算結果として同一のシーケンス番号を有するキャリアとの対応を確立することである、請求項８に記載の方法。
【請求項１０】
制御情報を伝送するための方法であって、
ユーザ機器（ＵＥ）により、拡張物理下りリンク制御チャネル（ＥＰＤＣＣＨ）物理リソースセットを使用して基地局によって送信される制御情報を受信するステップと、
前記ユーザ機器により、前記制御情報が適用されるキャリアをマッピング規則に従って決定するステップと
を有し、
前記基地局は、前記制御情報を送信する前に、前記制御情報を送信するための物理リソースを前記マッピング規則に従って決定し、
前記制御情報を搬送するキャリアは、前記制御情報が適用されるキャリアと同一のキャリア又は異なるキャリアであり、
前記マッピング規則は、キャリアと物理リソースとの対応を示す、方法。
【請求項１１】
前記マッピング規則が、
ＥＰＤＣＣＨ物理リソースセットを一つの単位として使用して、ＥＰＤＣＣＨ物理リソースセットとキャリアとの対応を確立する規則、又は、
ＥＰＤＣＣＨ物理リソースセット中の拡張制御チャネル要素（ＥＣＣＥ）を一つの要素として使用して、ＥＣＣＥとキャリアとの対応を確立する規則、又は、
ＥＰＤＣＣＨ物理リソースセット中の物理リソースブロック（ＰＲＢ）対を一つの要素として使用して、ＰＲＢ対とキャリアとの対応を確立する規則、又は、
ＥＰＤＣＣＨ物理リソースセット中の拡張リソース要素グループ（ＥＲＥＧ）を一つの要素として使用して、ＥＲＥＧとキャリアとの対応を確立する規則、又は、
ＥＰＤＣＣＨ物理リソースセット中のアンテナポート（ＡＰ）を一つの要素として使用して、ＡＰとキャリアとの対応を確立する規則
を含む、請求項１０に記載の方法。
【請求項１２】
拡張物理下りリンク制御チャネル（ＥＰＤＣＣＨ）物理リソースセットを使用して、ユーザ機器（ＵＥ）に制御情報を送信するように構成された送信ユニットを具備し、
前記制御情報が適用されるキャリアを前記ユーザ機器がマッピング規則に従って決定できるように、前記制御情報を送信するための物理リソースを前記マッピング規則に従って決定し、
前記制御情報を搬送するキャリアは、前記制御情報が適用されるキャリアと同一のキャリア又は異なるキャリアであり、
前記マッピング規則は、キャリアと物理リソースとの対応を示す、基地局。
【請求項１３】
前記マッピング規則が、基地局自身によって設定されて、前記送信ユニットを使用して前記ユーザ機器に送信される規則であるか、又は
前記マッピング規則が、予め規定されており、基地局自身と前記ユーザ機器との両方に知られた規則である、請求項１２に記載の基地局。
【請求項１４】
前記ＥＰＤＣＣＨ物理リソースセットが設定されたときに前記マッピング規則を確立するように構成されるか、又は
前記キャリアが設定されたときに前記マッピング規則を確立するように構成された
マッピング規則確立ユニットをさらに具備し、
前記送信ユニットが、前記マッピング規則確立ユニットによって確立された前記マッピング規則を前記ユーザ機器に送信するようにさらに構成される、請求項１２又は１３に記載の基地局。
【請求項１５】
拡張物理下りリンク制御チャネル（ＥＰＤＣＣＨ）物理リソースセットを使用して基地局によって送信される制御情報を受信するように構成された受信ユニットと、
前記制御情報が適用されるキャリアをマッピング規則に従って決定するように構成された決定ユニットと
を具備し、
前記基地局は、前記制御情報を送信する前に、前記制御情報を送信するための物理リソースを前記マッピング規則に従って決定し、
前記制御情報を搬送するキャリアは、前記制御情報が適用されるキャリアと同一のキャリア又は異なるキャリアであり、
前記マッピング規則は、キャリアと物理リソースとの対応を示す、ユーザ機器。
【国際調査報告】
2015537455.tif 000017
2015537455.tif 000018
2015537455.tif 000019
2015537455.tif 000020